(57)【特許請求の範囲】
【請求項１】
２つのアクセス・ルータ間のハンドオフを容易にするための無線デバイスであって、
第１のアクセス・ルータから信号を受信するための手段；
前記第１のアクセス・ルータのアドレスを含んでいる第１のハンドオフ要請を送信するための手段；
第２のアクセス・ルータから前記第１のアクセス・ルータが前記第２のアクセス・ルータにより識別されない旨を示す失敗メッセージを、前記無線デバイスで、受信するための手段；
前記第１のアクセス・ルータと前記第２のアクセス・ルータとの間で隣接ルータ探査を開始するための手段、ここで、前記隣接ルータ探査は、前記第２のアクセス・ルータが前記第１のアクセス・ルータへの通信リンクを開設するために必要なルーティング情報を前記第１のアクセス・ルータから受信することを含む；及び
少なくとも２つの擬似配線、ここで各擬似配線はレイヤ・ツー・ポイント・ツー・ポイントまたはポイント・ツー・マルチポイント・リンク（a layer two point-to-point or point-to-multipoint link）のエミュレーションを含む、を経由して前記第１のアクセス・ルータと通信するための手段、
を具備する無線デバイス。
【請求項２】
ハンドオフ状態を特定するための手段をさらに具備する、請求項１の無線デバイス。
【請求項３】
前記通信するための手段は、無線リンクが開設されたときに、前記第１のアクセス・ルータとさらに直接通信する、請求項１の無線デバイス。
【請求項４】
移動性管理のためのコンピュータ実行可能な命令をその上に記憶しているコンピュータ読取り可能な記憶媒体であって、
ターゲット無線アクセス・ルータから送信される目標アクセス・ビーコンを認識するための命令セット；
前記ターゲット無線アクセス・ルータへの第１のハンドオフを要請するための命令セット；
前記第１のハンドオフ要請に対する失敗の受信で第２のハンドオフ要請を送るための命令セット、前記失敗は、無線デバイスにおいて現在の無線アクセス・ルータから受信され、前記ターゲット無線アクセス・ルータが前記現在の無線アクセス・ルータにより識別されない旨を示す；及び
前記ターゲット無線アクセス・ルータと前記現在の無線アクセス・ルータとの間で隣接ルータ探査を開始するための命令セット、
を具備し、前記隣接ルータ探査は、前記無線アクセス・ルータが前記ターゲット無線アクセス・ルータへの通信リンクを開設するために必要なルーティング情報を前記ターゲット無線アクセス・ルータから受信することを含む、コンピュータ読取り可能な記憶媒体。
【請求項５】
宛先アドレス及びソース・アドレスとして前記ターゲット無線アクセス・ルータのアドレスを含むヘッダ・パケットを前記第２のハンドオフ要請の中に含ませるための命令セット、
をさらに具備する、請求項４のコンピュータ読取り可能な記憶媒体。
【請求項６】
無線デバイスのハンドオフ状態を第２のハンドオフ・メッセージに追加するための命令セット、をさらに具備し、ここで、前記ハンドオフ状態は、アクティブ状態、ホールド状態、及びオフ状態のうちの１つである、
請求項４のコンピュータ読取り可能な記憶媒体。
【請求項７】
移動性管理のための方法であって、
現在のアクセス・ルータから無線デバイスにターゲット・アクセス・ルータが前記現在のアクセス・ルータにより識別されない旨を示す失敗メッセージを送信すること；
新たな隣接ルータ探査創始メッセージ（a new neighbor discovery create message）を受信すること、ここで、前記隣接ルータ探査は、前記現在のアクセス・ルータが前記ターゲット・アクセス・ルータへの通信リンクを開設するために必要なルーティング情報を前記ターゲット・アクセス・ルータから受信することを含む；
前記新たな隣接ルータ探索創始メッセージへの回答として受領通知を送ること；及び
新たな隣接ルータ・アラート要請に応じて前記ターゲット・アクセス・ルータと第１のレイヤ・ツー・ポイント・ツー・ポイントまたはポイント・ツー・マルチポイント接続及び第２のレイヤ・ツー・ポイント・ツー・ポイントまたはポイント・ツー・マルチポイント接続を設定すること、
を具備する方法。
【請求項８】
前記新たな隣接ルータ探査創始メッセージを受信することの前に、新たな隣接ルータ・アラートを受信することをさらに具備する、請求項７の方法。
【請求項９】
新たな隣接ルータ創始メッセージ（a new neighbor create message）を受信することの前に、
無線デバイスからハンドオフのための要請を前記現在のアクセス・ルータにおいて受信すること；及び
前記ハンドオフ要請に応答して失敗メッセージを送ること、
をさらに具備する、請求項７の方法。
【請求項１０】
新たな隣接ルータ探査創始メッセージ（a new neighbor discovery create message）を受信することは、前記ターゲット・アクセス・ルータのルーティングを前記現在のアクセス・ルータへとロードすることを具備する、請求項７の方法。
【請求項１１】
前記受領通知を送ることは、前記現在のアクセス・ルータのレイヤ・ツー・ルーティング情報で応答することを具備する、請求項７の方法。
【請求項１２】
前記第１のレイヤ・ツー・ポイント・ツー・ポイントまたはポイント・ツー・マルチポイント接続は、少なくとも１つの論理リンク制御フレームのためであり、そして前記第２のレイヤ・ツー・ポイント・ツー・ポイントまたはポイント・ツー・マルチポイント接続は、少なくとも１つのインターネット・プロトコル通信のためである、請求項７の方法。
【請求項１３】
移動性管理のためにコンピュータ実行可能な命令をその上に記憶しているコンピュータ読取り可能な記憶媒体であって、
現在のアクセス・ルータから無線デバイスにターゲット・アクセス・ルータが前記現在のアクセス・ルータにより識別されない旨を示す失敗メッセージを送信するための命令セット；
無線デバイスから新たな隣接ルータ探査創始メッセージを受信するための命令セット、ここで、前記隣接ルータ探査は、前記現在のアクセス・ルータが前記ターゲット・アクセス・ルータへの通信リンクを開設するために必要なルーティング情報を前記ターゲット・アクセス・ルータから受信することを含む；
前記新たな隣接ルータ創始メッセージへの回答として受領通知を送るための命令セット；
前記新たな隣接ルータ創始メッセージに応答して隣接するアクセス・ルータと情報を交換するための命令セット；及び
前記ターゲット・アクセス・ルータと第１のレイヤ・ツー・ポイント・ツー・ポイントまたはポイント・ツー・マルチポイント接続及び第２のレイヤ・ツー・ポイント・ツー・ポイントまたはポイント・ツー・マルチポイント接続を設定するための命令セット、
を具備する、コンピュータ読取り可能な記憶媒体。
【請求項１４】
無線リンクが前記無線デバイスと前記ターゲット・アクセス・ルータとの間で開設されるまで、前記無線デバイスが前記ターゲット・アクセス・ルータと通信することを可能にするための命令セット、
をさらに具備する、請求項１３のコンピュータ読取り可能な記憶媒体。
【請求項１５】
ターゲット・アクセス・ルータにより実行される移動性管理のための方法であって、
現在の無線アクセス・ルータの存在を識別するために無線デバイスから新たな隣接ルータ・アラートを受信すること；
前記新たな隣接ルータ・アラートにおいて識別された前記現在の無線アクセス・ルータから隣接ルータ探査創始を要請すること、ここで、前記隣接ルータ探査は、前記現在の無線アクセス・ルータが前記ターゲット・アクセス・ルータへの通信リンクを開設するために必要なルーティング情報を前記ターゲット・アクセス・ルータから受信することを含む；
前記現在の無線アクセス・ルータから前記要請された隣接ルータ探査創始の受領通知を受信すること；及び
前記現在の無線アクセス・ルータと前記ターゲット・アクセス・ルータとの間で開設された第１のリンク及び第２のリンク、ここで前記第１のリンク及び前記第２のリンクのそれぞれがレイヤ・ツー・ポイント・ツー・ポイントまたはポイント・ツー・マルチポイント接続のエミュレーションを含む、を経由して前記無線デバイスと通信すること、
を具備する方法。
【請求項１６】
新たな隣接ルータ・アラートを受信する前に、論理リンク制御アドレスを含んでいるビーコン信号を送信することをさらに具備する、請求項１５の方法。
【請求項１７】
前記第１のリンクは、少なくとも１つの論理リンク制御フレームのための第１のレイヤ・ツー・ポイント・ツー・ポイントまたはポイント・ツー・マルチポイント・リンク接続であり、そして前記第２のリンクは、少なくとも１つのインターネット・プロトコル通信のための第２のレイヤ・ツー・ポイント・ツー・ポイントまたはポイント・ツー・マルチポイント・リンク接続である、請求項１５の方法。
【請求項１８】
前記無線デバイスと通信することは、レイヤ・ツー・ルーティング情報を用いることを含む、請求項１５の方法。
【請求項１９】
隣接ルータ探査創始を要請することは、前記現在の無線アクセス・ルータにルーティング情報を送ることを具備する、請求項１５の方法。
【請求項２０】
移動性管理を容易にするためのターゲット無線アクセス・ルータであって、
自らに結合されているメモリにより識別されない現在の無線アクセス・ルータを識別するためにアクセス端末から受信される新たな隣接ルータ・アラートに応じて隣接ルータ探査創始を開始するように構成されたプロセッサ、ここで前記隣接ルータ探査創始への応答に関連する情報を記憶するように前記メモリが構成されており、前記隣接ルータ探査は、前記現在の無線アクセス・ルータが前記ターゲット無線アクセス・ルータへの通信リンクを開設するために必要なルーティング情報を前記ターゲット無線アクセス・ルータから受信することを含む、
前記現在の無線アクセス・ルータと前記ターゲット無線アクセス・ルータとの間で開設された第１のリンク及び第２のリンク、ここで前記第１のリンク及び前記第２のリンクのそれぞれがレイヤ・ツー・ポイント・ツー・ポイントまたはポイント・ツー・マルチポイント接続のエミュレーションを含む、を経由して前記アクセス端末と通信するように構成されたトランシーバ
を具備するターゲット無線アクセス・ルータ。
【請求項２１】
論理リンク制御アドレスを含んでいるビーコン信号を送信するように構成された送信機をさらに具備する、請求項２０のターゲット無線アクセス・ルータ。
【請求項２２】
複数のアクセス・ルータ間のハンドオフを容易にするためのターゲット無線アクセス・ルータであって、
ビーコン信号を送信するための手段；
前記ビーコン信号に応じてハンドオフ要請を受信するための手段；
新たな隣接ルータ探査を開始するための手段；
現在の無線アクセス・ルータとルーティング情報を交換するための手段；及び
前記現在の無線アクセス・ルータと前記ターゲット無線アクセス・ルータとの間で開設される少なくとも２つの擬似配線、ここで各擬似配線がレイヤ・ツー・ポイント・ツー・ポイントまたはポイント・ツー・マルチポイント・リンクのエミュレーションを含む、を経由して無線デバイスと通信するための手段
を具備するターゲット無線アクセス・ルータ。
【請求項２３】
無線リンクが前記無線デバイスと開設されたときに、前記少なくとも２つの擬似配線を経由する前記通信を切断するための手段、
をさらに具備する、請求項２２のターゲット無線アクセス・ルータ。
【請求項２４】
移動性管理のためのコンピュータ実行可能な命令をその上に記憶しているコンピュータ読取り可能な記憶媒体であって、
新たな隣接ルータ・アラートを無線デバイスから受信するための命令セット；
前記新たな隣接ルータ・アラートにおいて識別されたアクセス・ルータから隣接ルータ探査創始を要請するための命令セット、ここで、前記隣接ルータ探査は、前記アクセス・ルータがターゲット・アクセス・ルータへの通信リンクを開設するために必要なルーティング情報を前記ターゲット・アクセス・ルータから受信することを含む；
前記要請された隣接ルータ探査創始の受領通知を前記アクセス・ルータから受信するための命令セット；及び
前記アクセス・ルータと前記ターゲット・アクセス・ルータとの間で開設された第１のリンク及び第２のリンク、ここで前記第１のリンク及び前記第２のリンクのそれぞれがレイヤ・ツー・ポイント・ツー・ポイントまたはポイント・ツー・マルチポイント接続のエミュレーションを含む、を経由して前記無線デバイスと通信するための命令セット、
を具備する、コンピュータ読取り可能な記憶媒体。
【請求項２５】
前記無線デバイスと直接無線リンク通信を開設するための命令セット；及び
前記直接無線リンクが開設されたときに、前記第１のリンクと前記第２のリンクを切断するための命令セット
をさらに具備する、請求項２４のコンピュータ読取り可能な記憶媒体。
【請求項２６】
移動性管理のためのコンピュータ実行可能な命令を実行する、ターゲット無線アクセス・ルータ内のプロセッサであって、前記命令は、
ビーコン信号を送信すること；
前記ビーコン信号への応答でハンドオフ要請を受信すること；
新たな隣接ルータ探査を開始すること；
現在の無線アクセス・ルータとルーティング情報を交換すること、及び
前記現在の無線アクセス・ルータと前記ターゲット無線アクセス・ルータとの間で開設される少なくとも２つの擬似配線、ここで各擬似配線がレイヤ・ツー・ポイント・ツー・ポイントまたはポイント・ツー・マルチポイント・リンクのエミュレーションを含む、を経由して無線デバイスと通信すること
を具備する命令である、プロセッサ。
【請求項２７】
前記命令は、
無線リンクが前記無線デバイスと開設されたときに、前記少なくとも２つの擬似配線を経由する前記通信を切断すること、
をさらに具備する命令である、請求項２６のプロセッサ。
【発明の詳細な説明】
【関連文献】
【０００１】
本出願は、米国特許仮出願番号第６０／７９２，０１８号、２００６年４月１４日出願、名称“移動性管理のための方法及び装置（METHOD AND APPARATUS FOR MOBILITY MANAGEMENT）”、の利益を主張し、その全体が引用によって本明細書中に取り込まれている。
【技術分野】
【０００２】
下記の記載は、一般に通信システムに係わり、より詳しくは、複数のアクセス・ルータ間のハンドオーバーに関する。
【背景技術】
【０００３】
通信システムは、多数のアクセス・ノードを含むことが可能であり、それを通してエンド・ノード（例えば、モービル・デバイス）がネットワークに接続される。エンド・ノードは、一般的に設定された接続を経由してアクセス・ノード（例えば、アクセス・ルータ）と通信する。そのような通信システムは、複数のノード間の２−方向通信をサポートするためにエンド・ノードとアクセス・ノードとの間の双方向通信リンクを当てにしている。そのようなシステムでは、エンド・ノードは、目的の宛先アクセス・ノードのネットワーク・レイヤ・アドレスを知らないことがあるが、同報通信チャネルをわたり受信することが可能な情報を認識することができ、それはメッセージ・ルーティングのために通常利用されない物理レイヤ識別子を含むことが可能である。そのエンド・ノードが同時に１つの双方向通信リンクを維持することができるだけであるときには、このアプローチは、ハンドオフ遅延及びパケット紛失を結果としてもたらす。
【０００４】
隣接する地理的なセルを取り扱っているアクセス・ノードは、手動設定を通して相互に知られるはずであり、その設定の間に、様々なパラメータが隣接するもののうちの複数に対応するアクセス・ノードの中に設定される。そのような設定は、労働集約的であり、そして人間の誤り及び下記の事実のために誤りを起こしがちである、その事実は、無線のネットワーク・レイアウトが、ネットワーク拡張、システムの徐々に段階的に実行される展開、又は環境状態のために変化することがあることである。
【０００５】
通信システムにおいて、エンド・ノードが隣接する複数の地理的セル間を移動するとき、中断のないサービスを提供することが望ましい。中断が音声通信の品質劣化又は欠落を結果としてもたらすことがあるので、そのような移動は、きわどいデータ（例えば、音声データ）にとって重要である。
【０００６】
エンド・ノードがターゲット・アクセス・ノードと直接通信できない場合、そして現在のアクセス・ノードを経由してターゲット・アクセス・ノードと通信することを強いられる場合に、上記の欠点、同様に他の欠点を克服するために、現在のアクセス・ノードからターゲット・アクセス・ノードへのハンドオーバーをサポートする必要がある。
【発明の概要】
【０００７】
下記は、開示された実施形態の複数の態様の基本的な理解を提供するための簡単なサマリーを提示する。このサマリーは、本発明の完璧な全体像ではなく、そしてそのような実施形態の鍵となる要素又は重要な要素を識別するように又はそのような実施形態の範囲を詳細に叙述するように意図されていない。その１つの目的は、後で与えられるより詳細な説明への前置きとして単純化した形式で記述される実施形態の複数の概念を与えることである。
【０００８】
１又はそれより多くの実施形態及びそれらの対応する明細にしたがって、様々な態様が、インターネット・プロトコル（ＩＰ）アーキテクチャにおいて複数の基地局間のシグナリング及びユーザ・トラフィックをカプセル化するためにＬ２ＴＰｖ３（レイヤ２トンネリング・プロトコル・バージョン３）擬似配線を利用することに関連して説明される。
【０００９】
ある実施形態にしたがったものは、移動性管理のための方法である。本方法は、ターゲット・アクセス・ルータへのハンドオフ要請に応答して隣接ルータ認識失敗を受信すること；該ターゲット・アクセス・ルータとＣＣＰリンクを開設すること；及び現在のアクセス・ルータと該ターゲット・アクセス・ルータとの間で新たな隣接ルータ・アラート（alert）を開始すること、を含む。
【００１０】
別の１つの実施形態にしたがったものは、移動性管理を容易にする装置である。本装置は、ハンドオフ要請のためのパケット・ヘッダを形成するプロセッサを含み、ここで、該パケット・ヘッダは第１のアクセス・ルータのアドレスに対応する宛先アドレス及びソース・アドレスを含む。本装置は、しかも、第２のアクセス・ルータから受信する隣接ルータ認識失敗に応じて該第１のアクセス・ルータへ該形成されたパケット・ヘッダを送信する送信機を含む。
【００１１】
別の１つの実施形態にしたがったものは、２つのアクセス・ルータ間のハンドオフを容易にするための装置である。本装置は、第１のアクセス・ルータから信号を受信するための手段；及び該第１のアクセス・ルータのアドレスを含んでいる第１のハンドオフ要請を送信するための手段を含む。同様に含まれるものは、該第１のアクセス・ルータと第２のアクセス・ルータとの間で隣接ルータ探査を開始するための手段；及び少なくとも２つの擬似配線を経由して該第１のアクセス・ルータと通信するための手段、である。
【００１２】
さらに別の１つの実施形態は、移動性管理のためのコンピュータ実行可能な命令をその上に記憶しているコンピュータ読取り可能な媒体である。本命令は、ターゲット・アクセス・ルータから送信される目標アクセス・ビーコンを認識すること、及び該ターゲット・アクセス・ルータへ第１のハンドオフを要請することを含む。本命令は、しかも、該第１のハンドオフ要請の失敗の受信で第２のハンドオフ要請を送ること、及び該ターゲット・アクセス・ルータと現在のアクセス・ルータとの間で隣接ルータ探査を開始することを含む。
【００１３】
別の１つの実施形態は、移動性管理のためのコンピュータ実行可能な命令を実行するプロセッサである。本命令は、隣接ルータ認識失敗にハンドオフ要請で応答すること；及び第１のアクセス・ルータと第２のアクセス・ルータとの間で隣接ルータ探査を、該ハンドオフ要請によって部分的に開始すること、を含む。
【００１４】
別の１つの実施形態にしたがったものは、移動性管理のための方法である。本方法は、新たな隣接ルータ探査創始（create）メッセージを受信すること；そして該新たな隣接ルータ創始メッセージへの回答で受領通知を送ることを含む。本方法は、さらに、新たな隣接ルータ・アラート要請に応じてターゲット・アクセス・ルータと第１のＬ２ＴＰ接続及び第２のＬ２ＴＰ接続を設定すること、を含む。
【００１５】
別の１つの実施形態にしたがったものは、無線端末のハンドオフを容易にする装置である。本装置は、隣接するアクセス・ルータに関連する情報を記憶するメモリ；無線端末からハンドオフ要請を受信する受信機；及び該記憶された情報を検索し、そして該ハンドオフ要請に応答するプロセッサ、を含む。
【００１６】
さらに別の１つの実施形態は、移動性管理を容易にする装置である。本装置は、インターネット・プロトコルのカプセル化されたものを作り出して、情報を送るための手段；及び該情報を送るために少なくとも２つの擬似配線を利用するための手段、を含む。
【００１７】
さらに別の１つの実施形態では、移動性管理のためのコンピュータ実行可能な命令をその上に記憶しているコンピュータ読取り可能な媒体である。その命令は、無線端末から新たな隣接ルータ探査創始メッセージを受信すること、及び該新たな隣接ルータ創始メッセージへの回答で受領通知を送ることを含む。その命令は、該新たな隣接ルータ創始メッセージに応答して隣接するアクセス・ルータと情報を交換すること、及びターゲット・アクセス・ルータと第１のＬ２ＴＰ接続及び第２のＬ２ＴＰ接続を設定することをさらに含む。
【００１８】
別の１つの実施形態にしたがったものは、複数のアクセス・ルータ間のハンドオフのためのコンピュータ実行可能な命令を実行するプロセッサである。その命令は、インターネット・プロトコルをカプセル化したものにより第１のアクセス・ルータへ情報を送ること；及び該情報を送るために少なくとも２つの擬似配線を利用することを含む。
【００１９】
さらに別の１つの実施形態は、移動性管理のための方法である。本方法は、無線端末から新たな隣接ルータ・アラートを受信すること；及び該新たな隣接ルータ・アラートにおいて識別されたアクセス・ルータから隣接ルータ探査創始を要請することを含む。本方法は、さらに、該要請された隣接ルータ探査創始の受領通知を該アクセス・ルータから受信すること；及び該アクセス・ルータによって開設された第１のリンクと第２のリンクとを経由して該無線端末と通信することを含む。
【００２０】
別の１つの実施形態にしたがったものは、移動性管理を容易にする装置である。本装置は、アクセス端末から受信した新たな隣接ルータ・アラートに応じて隣接ルータ探査創始を開始するプロセッサ；及び該隣接ルータ探査創始への応答に関連する情報を記憶するメモリを含む。
【００２１】
さらに別の１つの実施形態は、複数のアクセス・ルータ間のハンドオフを容易にする装置である。本装置は、ビーコン信号を送信するための手段；及び該ビーコン信号に応じてハンドオフ要請を受信するための手段を含む。同様に含まれるものは、新たな隣接ルータ探査を開始するための手段；及び隣接するアクセス・ルータとルーティング情報を交換するための手段である。
【００２２】
別の１つの実施形態にしたがったものは、移動性管理のためのコンピュータ実行可能な命令をその上に記憶しているコンピュータ読取り可能な媒体である。その命令は、新たな隣接ルータ・アラートを無線端末から受信すること、及び該新たな隣接ルータ・アラートにおいて識別されたアクセス・ルータから隣接ルータ探査創始を要請することを含む。その命令は、さらに、該アクセス・ルータから該要請された隣接ルータ探査創始の受領通知を受信すること、及び該アクセス・ルータによって開設された第１のリンクと第２のリンクとを経由して該無線端末と通信することを含む。
【００２３】
別の１つの実施形態にしたがったものは、移動性管理のためのコンピュータ実行可能な命令を実行するプロセッサである。その命令は、ビーコン信号を送信すること；及び該ビーコン信号に応じてハンドオフ要請を受信することを含む。その命令は、さらに、新たな隣接ルータ探査を開始すること；及び隣接するアクセス・ルータとルーティング情報を交換することを含む。
【００２４】
上記の目的そして関連する目的の実現のために、１又はそれより多くの実施形態は、下記に詳細に記載され、そして特に特許請求の範囲において示される特徴を具備する。下記の説明及び添付された図面は、ある種の例示的な態様を詳細に説明し、そして本実施形態の原理がその中で利用されることができる様々な方法のうちの幾つかだけを表す。他の利点及び新規な特徴は、図面とともに考察されるときに下記の詳細な説明から明らかになるであろう、そして開示された実施形態は、全てのそのような態様及びそれらと等価なものを含むように意図されている。
【図面の簡単な説明】
【００２５】
【図１】擬似配線を利用してハンドオフを容易にする無線通信システムのブロック図を図示する。
【図２】本明細書中に提示される様々な実施形態にしたがって複数のアクセス・ルータ間のメッセージをカプセル化するためそして逆カプセル化するために使用されるシステム・モデルを図示する。
【図３】擬似配線を利用するハンドオフを容易にするための方法のフローチャートを図示する。
【図４】開示された実施形態を利用するための方法の別の１つのフローチャートを図示する。
【図５】現在のアクセス・ルータとターゲット・アクセス・ルータとの間のハンドオフを確立するための方法のフローチャートを図示する。
【図６】開示された実施形態で利用されるＬＬＣ擬似配線ヘッダ・フォーマットを図示する。
【図７】開示された技術を利用するＬ２ＴＰｖ３ＩＰサブ・レイヤのためのヘッダ・フォーマットを図示する。
【図８】様々な実施形態にしたがってハンドオフを実行するための方法のフローチャートを図示する。
【図９】様々な実施形態にしたがった無線デバイスを図示する。
【図１０】様々な実施形態にしたがったアクセス・ルータを図示する。
【図１１】少なくとも２つのアクセス・ルータ間のハンドオフを容易にする装置のブロック図を図示する。
【図１２】移動性管理を容易にする装置のブロック図を図示する。
【図１３】複数のアクセス・ルータ間のハンドオフを容易にする装置を図示する。
【図１４】開示された実施形態にしたがって与えられる具体例の通信システムのネットワーク図を図示する。
【図１５】本明細書中に開示された様々な実施形態にしたがって与えられる具体例のアクセス端末を図示する。
【図１６】開示された実施形態にしたがって与えられる具体例のアクセス・ポイントを図示する。
【発明を実施するための形態】
【００２６】
様々な実施形態が、図面を参照してここに説明される。下記の記載では、説明の目的のために、数多くの特定の詳細が１又はそれより多くの態様の十分な理解を提供するために説明される。しかしながら、そのような（複数の）実施形態がこれらの具体的な詳細を用いずに実行され得ることは、明らかであろう。別の例では、周知の構造及びデバイスは、これらの実施形態を記述することを容易にするためにブロック図形式で示される。
【００２７】
本実施形態において使用されるように用語“構成要素（コンポーネント）”、“モジュール”、“システム”、及びその他は、コンピュータ関連の実体、いずれかのハードウェア、ファームウェア、ハードウェアとソフトウェアとの組み合わせ、ソフトウェア、又は実行中のソフトウェア、を呼ぶように意図されている。例えば、構成要素は、プロセッサ上で実行中のプロセス、プロセッサ、オブジェクト、実行可能なもの、実行のスレッド、プログラム、及び／又はコンピュータ、であり得るが、これらであるように限定されない。説明の目的で、計算デバイス上で走っているアプリケーションと計算デバイスの両者は、構成要素であることが可能である。１又はそれより多くの構成要素は、プロセス及び／又は実行のスレッドの内部に常駐することが可能であり、そして構成要素は、１つのコンピュータ上に局在化されることができる及び／若しくは２又はそれより多くのコンピュータの間で分散されることができる。それに加えて、これらの構成要素は、その媒体上に記憶された様々なデータ構造を有するコンピュータ読取り可能な媒体から実行されることが可能である。構成要素は、１又はそれより多くのデータ・パケット（例えば、ローカル・システム、分散型システム中の別の１つの構成要素と情報交換している１つの構成要素からのデータ、及び／又は信号として別のシステムとインターネットのようなネットワークをわたるデータ）を有する信号にしたがうようなローカル・プロセス及び／又は遠隔プロセスを通して通信できる。
【００２８】
その上、様々な実施形態が、ユーザ・デバイスと関係して本明細書中で説明される。ユーザ・デバイスは、システム、加入者ユニット、加入者局、移動局、移動デバイス、遠隔局、アクセス・ポイント、基地局、遠隔端末、アクセス端末、ハンドセット、ホスト、ユーザ端末、端末、ユーザ・エージェント、又はユーザ装置とも同様に呼ばれることができる。ユーザ・デバイスは、セルラ電話機、コードレス電話機、セッション・イニシエーション・プロトコル（ＳＩＰ：Session Initiation Protocol）電話機、無線ローカル・ループ（ＷＬＬ：wireless local loop）局、個人ディジタル補助装置（ＰＤＡ：Personal Digital Assistant）、無線接続能力を有する手持ちデバイス、又は無線モデムに接続された（複数の）他の処理デバイス、であり得る。
【００２９】
その上、本明細書中に記載される様々な態様又は特徴は、方法、装置、又は標準プログラミング技術及び／又はエンジニアリング技術を使用する製造文書（article of manufacture）として実施されることができる。本明細書中で使用されるように、用語“製造文書”は、いずれかのコンピュータ読取り可能なデバイス、キャリア、又は媒体からアクセス可能なコンピュータ・プログラムを含むように意図されている。例えば、コンピュータ読取り可能な媒体は、磁気記憶デバイス（例えば、ハード・ディスク、フロッピー（登録商標）ディスク、磁気ストリップ．．．）、光ディスク（例えば、コンパクト・ディスク（ＣＤ：compact disk）、ディジタル・バーサタイル・ディスク（ＤＶＤ：digital versatile disk）．．．）、スマート・カード、及びフラッシュ・メモリ・デバイス（例えば、カード、スティック、キー・ドライブ．．．）を含むことが可能であるが、これらに限定されない。
【００３０】
様々な実施形態が、複数の構成要素、モジュール、及びその他を含むことができるシステムの観点から提示されるであろう。様々なシステムが追加の構成要素、モジュール、等を含むことができること、及び／又は図面に関連して論じられる全ての構成要素、モジュール、等を必ずしも含まないことがあることが、理解されそして認識されるべきである。これらのアプローチの組み合わせも、使用されることができる。
【００３１】
ここで図面を参照して、図１は、擬似配線を利用してハンドオフを容易にする無線通信システム１００のブロック図を図示する。システム１００は、無線デバイス１０２を含み、それは１又はそれより多くのアクセス・ルータ、アクセス・ルータ１１０４及びアクセス・ルータ２１０６と名付けられる、と無線で通信することが可能である、ここで、Ｎは１より大きい又はそれに等しい任意の整数である。アクセス・ルータは、基地局、パケット・データ・サービング・ノード（ＰＤＳＮ：packet data serving node）、及び／又はゲートウェイ汎用パケット・ラジオ・サービス（ＧＰＲＳ：gateway general packet radio service）サポート・ノードであり得る。
【００３２】
各アクセス・ルータ１０４，１０６は、対応する地理的な範囲すなわちセル１０８，１１０を有する。隣接するセル１０８，１１０は、セル境界領域１１２により示されるように、わずかに重なることができる。そのような重なりは、各アクセス・ルータ１０４，１０６により送られたビーコン信号１１４，１１６を無線デバイス１０２が認識する潜在能力を提供することが可能である。ビーコン信号１１４，１１６は、ＬＬＣ識別子をアクセス・ルータ１０４，１０６に関連する他の情報と同様に含むことが可能である。
【００３３】
無線デバイス１０２がセル１０８からセル１１０に移動するにつれて、矢印で示されたように、無線デバイス１０２は、アクセス・ルータ１０６により送られるビーコン１１６を受信する。無線デバイス１０２は、アクセス・ルータ１０４からアクセス・ルータ１０６へハンドオフするように望むことができる。しかしながら、もしアクセス・ルータ１０４，１０６が互いに認識できないならば、ハンドオフは実行されるはずがなく、そして無線デバイス１０２は、ターゲット・アクセス・ルータ１０６と適正に通信することが不可能である。それゆえ、無線デバイス１０２は、アクセス・ルータ１０４を経由してアクセス・ルータ１０６と通信することを強いられる。アクセス・ルータ１０４，１０６間の信号通信及びトラフィックを伝達するために、擬似配線が作り出される。第１の擬似配線は、ＬＬＣフレームのために作り出されることができ、そして第２の擬似配線は、ＩＰ通信のために作り出されることができる。そのような方法で、無線デバイス１０２は、例えば、ハンドオフを経由して直接通信が開設されることができるまで、アクセス・ルータ１０４を経由してアクセス・ルータ１０６に通信する。
【００３４】
図２は、本明細書中に提示される様々な実施形態にしたがって複数のアクセス・ルータ間のメッセージをカプセル化するためそして逆カプセル化するために使用されるシステム・モデル２００を図示する。システム２００は、無線端末２０２、第１のアクセス・ルータ（アクセス・ルータＡ）２０４、及び第２のアクセス・ルータ（アクセス・ルータＢ）２０６を含む。説明の目的のために、無線端末２０２は、アクセス・ルータＡ２０４（現在のアクセス・ルータ）と直接通信中であり、そしてアクセス・ルータＢ２０６（ターゲット・アクセス・ルータ）にハンドオフをしたがっている。各アクセス・ルータ２０４，２０６は、それぞれのインターフェース２１２，２１４及びそれぞれのＬＬＣエンティティ２１６，２１８を含むことができる。
【００３５】
無線端末２０２は、ビーコン信号を通してターゲット・アクセス・ルータ２０６の存在を認識することが可能であり、そのビーコン信号はアクセス・ルータにより（定期的に又は連続的に）送られて、アクセス・ルータが利用可能であることを近くの範囲内の（例えば、アクセス・ルータの地理的なセル内の）無線デバイスに知らせる。ビーコン信号は、ＬＬＣ、同様にそのアクセス・ルータに関連する他の情報を含むことが可能である。
【００３６】
ターゲット・アクセス・ルータ２０６のビーコンを既に検出している無線端末は、現在のアクセス・ルータ２０４にハンドオフ要請を送る。例えば、メモリ中に維持管理されたアクセス・ルータのルック−アップ・テーブル中の情報を検索した後で、もし現在のアクセス・ルータ２０４がターゲット・アクセス・ルータを認識しない場合には、隣接ルータ認識失敗が無線端末に送られる。
【００３７】
そのような失敗を受信した後で、無線端末は、隣接ルータ探査及びアクセス・ルータ２０４，２０６間で新たな隣接ルータ・アラート（alert）を開始することができる。実質的に同じ時間に又は実質的に同じ地理的領域内でそれぞれのアクセス・ルータ２０４，２０６からのビーコン信号を受信することに基づいて、アクセス・ルータ２０４と２０６とが隣接ルータであることを、無線端末２０２は、推論することができる。
【００３８】
少なくとも２つのＬ２ＴＰｖ３擬似配線は、ＩＰアーキテクチャのアクセス・ルータ２０４，２０６間のユーザ・トラフィック及び信号送信をカプセル化するために使用されることが可能である。無線端末２０２が新たなアクセス・ルータ（アクセス・ルータＢ２０６）と直接通信することが不可能であり、そして現在のもの（アクセス・ルータＡ２０４）を経由して新たなアクセス・ルータと通信することを強いられるときには、そのような配線は、ハンドオーバーの促進をサポートすることができる。送る側のエンティティと受け取る側のエンティティがそれぞれのタイプの配線に対して異なるために、２つの擬似配線が利用される。
【００３９】
第１のＬ２ＴＰｖ３擬似配線２０８は、ＩＰ通信に対してであり得る。アクセス・ルータ２０４，２０６間のハンドオーバーをサポートするために、無線端末２０２は、自身の動きを予想し、そして現在のアクセス・ルータ２０４を経由して新たなアクセス・ルータ２０６と複数のタスクを実行する必要がある。これらの情報交換は、移動性管理プロトコル（ＭＭＰ：mobility management protocol）、接続制御プロトコル（ＣＣＰ：connection control protocol）、安全関連プロトコル（ＳＡＰ：secure association protocol）、及び新たなアクセス・ルータへの潜在的に延長可能な認証プロトコル（ＥＡＰ：extensible authentication protocol）メッセージを含む。これらのプロトコルは、ＩＰを介しては動作しない、それゆえ、複数のホッピングを経由してこの情報を送るためにＩＰカプセル化に対する必要性がある。同じ理由付けは、既に圧縮されているＲＨＣＰフレームを送ることに適用される。これらのメッセージは、現在のアクセス・ルータのＬＬＣから新たなアクセス・ルータのＬＬＣへ送られ、そして本明細書中ではＬＬＣフレームと呼ばれる。
【００４０】
第２のＬ２ＴＰｖ３擬似配線２１０は、現在のアクセス・ルータ２０４において受信された全体のＩＰパケットをカプセル化し逆多重化するために、そしてそのパケットを新たなアクセス・ルータ２０６へバイキャストするか転送するかのどちらかのために、使用されることができる。これらのパケットは、現在のアクセス・ルータ・インターフェース２１２のうちの１つから新たなアクセス・ルータ・インターフェース２１４のうちの１つへ直接送られる。アクセス・ルータ・インターフェースは、識別情報と構成を含む。これらのメッセージは、“ＩＰパケット”として本明細書中では呼ばれる。
【００４１】
図３は、擬似配線を利用してハンドオフを容易にするための方法のフローチャートを図示する。説明の平易さの目的のために、本方法は、一連のブロックとして示されそして説明されるものの、ある複数のブロックが本明細書中で図示されそして説明されるものとは異なる順番で及び／又はそれら以外の別のブロックと同時に生じることがあるので、開示される実施形態は、ブロックの数又は順番により限定されないことが理解される。その上、全ての図示されるブロックが、説明される方法を実施するために必ずしも必要でないことがある。ある方法は、例えば、状態図でのように、一連の相互に関連する状態又は事象として代わりに表わされることができる。ブロックに関係付けられる機能が、ソフトウェア、ハードウェア、それらの組み合わせ、又は任意の別の適切な手段（例えば、デバイス、システム、プロセス、コンポーネント）により実施され得ることが、認識されるべきである。それに加えて、本明細書の全体を通して開示される方法が、かかる方法を様々なデバイスへ伝達すること又は転送することを容易にするために製造の文書に記憶されることが可能であることは、認識されるはずである。
【００４２】
ビーコン信号がアクセス・ルータから受信されるときに、方法３００は、３０２で開始する。その信号は、アクセス・ルータに関するＬＬＣ又は他の識別子を含むことができる。無線デバイスは、通信速度、品質、又は他のパラメータを含んでいるビーコンで受信される情報に基づいてそのアクセス・ルータ（例えば、ターゲット・アクセス・ルータ）へハンドオフすることを望むことができる。ターゲット・アクセス・ルータへハンドオフするための要請は、現在のアクセス・ルータに送られる。現在のアクセス・ルータがそのターゲット・アクセス・ルータを認識しない場合には、失敗メッセージ（例えば、隣接ルータ認識失敗）が、ハンドオフ要請に応じて、３０４において受信される。
【００４３】
方法３００は、３０６において続き、ＣＣＰリンクがターゲット・アクセス・ルータと開設される。そのようなリンクの開設は、ソース・アドレス及び宛先アドレスの両者としてターゲット・アクセス・アドレスをパケット・ヘッダ中に含む第２のハンドオフ要請を送ることを含むことができる。ＣＣＰ申込み（challenge）は、ハンドオフ要請に応じてターゲット・アクセス・ルータから受信され、それはアクセス端末により応答される。
【００４４】
新たな隣接ルータ・アラートは、３０８において始められ、それは互いの存在についてアクセス・ルータに注意を喚起する。アクセス・ルータは、ＩＰをカプセル化したメッセージの交換を通して通信することができそして通信を開設する。少なくとも２つの擬似配線又はトンネルは、それらのアクセス・ルータ間で開設され、直接リンクが３１２でターゲット・アクセス・ルータと開設されるまで、３１０において、無線端末が現在のアクセス・ルータを経由してターゲット・アクセス・ルータと通信することを可能にする。
【００４５】
擬似配線は、複数のアクセス・ルータ間で維持され、そして次の無線デバイスは、開示される実施形態にしたがって新たな擬似配線を開設する必要なしにいずれの方向にもアクセス・ルータ間でハンドオフすることが可能である。開示される実施形態は、双方向通信を作り出すことに注目すべきであり、それはもしハンドオフがターゲット・アクセス・ルータから現在のアクセス・ルータに要請される場合に、同じ擬似配線と技術が利用されることが可能であること、を意味する。
【００４６】
図４は、開示された実施形態を利用するための方法４００の別の１つのフローチャートを図示する。方法４００は、４０２で開始し、そこではあるアクセス・ルータ（例えば、ターゲット・アクセス・ルータ）へのハンドオフ要請が無線端末から受信される。現在のアクセス・ルータは、ターゲット・アクセス・ルータに関連する情報（例えば、ＩＰアドレス、ＬＬＣ、他のルーティング情報）について内部メモリ、例えば、ルック−アップ・テーブル、を検索することができる。その情報が見つからない場合には、隣接ルータ認識失敗が、４０４において無線端末に送られ、そのハンドオフが実行不可能であることを指示する。無線端末は、ハンドオフ要請を放棄することができる、又は前に論じたようにターゲット・アクセス・ルータとＣＣＰリンクを始めることができる。
【００４７】
無線端末が新たな隣接ルータ・アラートを送る場合には、本方法は、４０６において続き、そこでは隣接ルータ探索創始が受信される。これは、ターゲット・アクセス・ルータへの通信リンクを開設するために必要なルーティング情報をターゲット・アクセス・ルータから受信することを含むことができる。受け入れ可能である場合には、４０８において、受領通知が、ターゲット・アクセス・ルータに送られ、それは現在のアクセス・ルータに対するルーティング情報を含む。そのように、双方向ルーティング情報を設定する。
【００４８】
擬似配線は、複数のアクセス・ルータ間に創設されることができ、直接の無線リンクがターゲット・アクセス・ルータと開設され得るまで、無線端末が現在のアクセス・ルータを経由してターゲット・アクセス・ルータと通信することを可能にする。
【００４９】
図５は、現在のアクセス・ルータとターゲット・アクセス・ルータとの間のハンドオフを確立するための方法５００のフローチャートを図示する。５０２において、ビーコン信号が送信され、それはそのビーコンを送信しているアクセス・ルータのＬＬＣを含む。ビーコンは、近くの範囲内のデバイスにより傍聴されるように意図されており、そのようなデバイスがアクセス・ルータを経由して通信することを可能にする。
【００５０】
５０４において、ハンドオフ要請は、無線端末から受信されることができ、そこでは、無線端末はターゲット・アクセス・ルータに直接通信できない。かかるハンドオフ要請は、無線端末による最初のハンドオフ要請に応じて現在のアクセス・ルータからの最初の失敗応答の後で受け取られるはずである。ハンドオフ要請は、パケット・ヘッダ中にソース・アドレス及び宛先アドレスとしてターゲット・アクセス・ルータ・アドレスを含む。
【００５１】
ＣＣＰリンクが開設されることに応じて、新たな隣接ルータ・アラートが５０６で受信される。かかる新たな隣接ルータ・アラートは、各アクセス・ルータから受信されるビーコン信号に基づいて２又はそれより多くのアクセス・ルータが隣接ルータであるとされる無線端末から受信されることがある。隣接ルータ探査創始は、５０８において実行され、そこでは、ターゲット・アクセス・ルータと現在のアクセス・ルータは、双方向ルーティング情報を交換する。現在のアクセス・ルータからのルーティング情報は、５１０において、隣接ルータ探査創始に応答して現在のアクセス・ルータからの受領通知で受信される。ターゲット・アクセス・ルータは、直接の無線リンクが開設されるまで現在のアクセス・ルータを経由してその無線端末と通信する。
【００５２】
図６は、ＬＬＣフレーム擬似配線を伝達するために利用されるＬＬＣ擬似配線ヘッダ・フォーマット６００を図示する。擬似配線のタイプは、Ｌ２ＴＰｖ３ヘッダ中に含まれるセッション識別子により指示され、そしてＬ２ＴＰｖ３サブ・レイヤ・ヘッダとして利用されることができる。バージョン６０２の記載は、ヘッダのバージョン番号を含む。フィールドは、このバージョンに対して１に設定されることができる。バージョンは、長さが１バイトでありそして整数タイプであり得る。
【００５３】
フィールド６０４は、メッセージの方向を示すフラッグである。設定されたときに、図示されたようにアップリンク“Ｕ”を指示する。それが設定されないときには、ダウンリンクを指示する。フィールド６０４は、１ビットであることができ、そして整数タイプのフィールドである。フィールドｒｅｓ６０６は、将来の使用のために確保されることができる。それは送り手によってゼロに設定されることができ、そして受信者によって無視されることができる。フィールドｒｅｓ６０６は、７ビット長であることができ、そしてフィールド・タイプ整数からなる。
【００５４】
フィールド連続番号６０８記載は、２バイトであり得て、そしてそのフィールド・タイプは整数である。このフィールドは、転送された情報に関する連続番号を含む。連続番号フィールド６０８は、送り手が新たなメッセージを送る毎に１だけ増加されることができる。
【００５５】
無線端末識別子（ＷＴ  Ｉｄ）記載フィールド６１０は、グローバルに唯１つの無線端末識別子を含むことができ、無線端末仮識別子及びグローバルに唯１つのモービル・ネットワーク・サーバ（ＭＮＳ）識別子を含む。ＷＴ  Ｉｄフィールド６１０は、フィールド・タイプ整数でありそして１２バイトであり得る。
【００５６】
宛先ＬＬＣに関する識別子（Ｄｓｔ  ＬＬＣｉｄ）を含むフィールド６１２は、２バイトでありそして整数タイプであり得る。Ｄｓｔ  ＬＬＣｉｄ６１２フィールド中に含まれる識別子は、受信者にとってローカルに固有である。送る側のＬＬＣインターフェースに関する識別子（Ｓｒｃ  ＬＬＣｉｄ）を含むフィールド６１４は、整数タイプであり得て、２バイトの長さを有する。Ｓｒｃ  ＬＬＣｉｄフィールド６１４中に含まれる識別子は、送る側のインターフェースに対してローカルに固有であり、そして応答を送るために受信者により使用される。
【００５７】
巡回冗長性チェック（ＣＲＣ）記載フィールド６１６は、Ｌ２ＴＰｖ３ヘッダとサブ・レウヤ・ヘッダとをカバーする。ＣＲＣフィールド６１６は、送信エラーを検出するために使用され、そして２バイトでありそのタイプは整数である。フィールド６１８は、将来の使用のために確保され、そして送り手によってゼロに設定されることができ、そして受信者により無視されることができる。それは、長さ２バイトであり、そして整数フィールド・タイプである。
【００５８】
下記は、トンネル内で交換される情報を処理するためにアクセス・ルータに対して推奨される動きを記述する。ＬＬＣフレームを送るとき、送り手は、適切なセッション識別子を選択するはずである。このプロトコルは、Ｌ２ＴＰｖ３ヘッダ中の６４ビット・クッキー（Cookie）フィールドを使用する。バージョン・フィールド６０２は、１に設定されることができる。連続番号フィールド６０８は、送られるメッセージ毎に１だけ増加される。連続番号フィールド６０８は、全ての発信メッセージに対して増加され、そしてある無線端末に関連しているメッセージの特定の集合に固有ではない。Ｄｓｔ  ＬＬＣｉｄフィールド６１２とＳｒｃ  ＬＬＣｉｄフィールド６１４は、このセッションを取り決めるときに取得した値にしたがって設定される。フィールド６０４は、メッセージの方向を示すために設定される。ＣＲＣは、次に計算される。送り手は、ＣＲＣ値を計算している間、ＣＲＣフィールド６１６それ自身をゼロに設定することができる。
【００５９】
ＬＬＣ擬似配線を経由してフレームを受信することは、バージョン・フィールド６０２を最初にチェックするカプセル化されたサブＩＰパケットを受信するアクセス・ルータを含む。もしフィールド６０２が１に等しくない場合には、パケットは、黙って破棄されることができる。もしバージョンが１に設定される場合には、受信者は、ＣＲＣフィールド６１６を計算し、そしてＣＲＣフィールド６１６それ自身をゼロに設定することができる。エラーが検出される場合には、パケットは黙って破棄されることができる。ＣＲＣの好結果の検証に引き続いて、ＷＴ  ｉｄ６１０が使用され、連続番号フィールド６０８と統合されて、パケットが誤った順番で到着したかどうかを検出する。あるプロトコル（例えば、ＥＡＰ）は、パケットが送られたものと同じ順番でパケットが受け取られることを求める。パケット再配列は、カプセル化されたプロトコル及び実施に依存する。連続番号フィールド６０８は、メッセージが誤った順番で到着するときに、ケース・バイ・ケースのベースで、必要な行為を行うための実施を可能にするために含まれる。特定のユーザに対して最後に受信される連続番号フィールド６０８は、無線端末毎のベースでパケットを再配列することを可能にするために記憶される。
【００６０】
図７は、開示された技術を利用するＬ２ＴＰｖ３ＩＰサブ・レイヤのためのヘッダ・フォーマット７００を図示する。このヘッダは、ＩＰセッション擬似配線を経由してＩＰパケットを搬送するために使用される。擬似配線のタイプは、Ｌ２ＴＰｖ３ヘッダ中に含まれるセッション識別子によって示され、そしてＬ２ＴＰｖ３サブ・レイヤ・ヘッダとして利用されることが可能である。
【００６１】
バージョン記載フィールド７０２は、整数タイプでありそして長さが１バイトであり得る。バージョン・フィールド７０２は、ヘッダのバージョン番号を含み、そしてこのバージョンに対して１つ設定されることができる。フィールド７０４は、設定されたときに、パケットが送り手によりバイキャストされた（Ｂ）ことを示す。このフィールドは、整数でありそして長さが１ビットである。
【００６２】
パケットの残存時間（ＴＴＬ：time to live）フィールド７０６は、２ビットでありそして整数であり得る。もしＴＴＬフィールド７０６がゼロに設定される場合、パケットは破棄されることができる。フィールド７０８は、将来の使用のために確保され、そして送り手によりゼロに設定されることができそして受信者により無視されることができる。フィールド７０８は、整数でありそして長さが５ビットである。
【００６３】
連続番号記載フィールド７１０は、転送される情報に関する連続番号を含む。このフィールドは、２バイトでありそして整数フィールド・タイプであり得る。連続番号フィールド７１０は、送り手が新たなメッセージを送る毎に１ずつ増加される。無線端末識別子（ＷＴ  Ｉｄ）フィールド７１２は、１２バイトでありそして整数フィールド・タイプである。ＷＴ  Ｉｄフィールド７１２は、グローバルに唯１つの無線端末識別子を含むことができ、無線端末仮識別子及びグローバルに唯１つのＭＮＳ識別子を含む。
【００６４】
宛先無線リンク・インターフェース識別子（Ｄｓｔ  Ｉｎｔｅｒｆａｃｅ  Ｉｄ）フィールド７１４は、整数フィールド・タイプでありそして長さが４バイトである。このフィールドは、受信者に対してローカルに固有であるだけであり得て、送り手に対して必ずしも意味がある必要がない。このフィールドは、ＩＰアドレスを含むことができる。送り手に対する無線リンク・インターフェースに関する識別子を含むフィールドは、Ｓｒｃインターフェースｉｄ記載フィールド７１６である。このフィールドは、いずれかの受信されたメッセージに対して生成される応答で使用される。Ｓｒｃインターフェースｉｄ記載フィールド７１６は、送り手にとってローカルに固有であり、そして受信者にとって意味がない。このフィールドは、ＩＰアドレスを含むことができる。このフィールド・タイプは、整数であり、そして長さが４バイトであり得る。
【００６５】
ＣＲＣフィールド７１８は、長さが２バイトである。ＣＲＣフィールド７１８は、Ｌ２ＴＰｖ３ヘッダとサブ・レイヤ・ヘッダをカバーする。このフィールドは、送信エラーを検出するために使用される。フィールド・タイプは、整数である。フィールド７２０は、将来の使用のために確保され、そして送り手によりゼロに設定されることができそして受信者により無視されることができる。そのフィールド・タイプは、整数でありそして将来の使用のために確保され、そして送り手によりゼロに設定されることができそして受信者により無視されることができる。長さが２バイトである。
【００６６】
下記は、トンネル内で交換される情報を処理するためにアクセス・ルータに対して推奨される動きを説明する。ＩＰパケットを送るときに、送り手は、適切なセッション識別子を選択する。このプロトコルは、Ｌ２ＴＰｖ３ヘッダ中の６４−ビット・クッキー・フィールドを使用することが可能である。バージョン・フィールド７０２は、１に設定されることができ、そして連続番号フィールド７１０は、送られるメッセージ毎に１だけ増加される。連続番号フィールド７１０が全ての発信メッセージに対して増加され、そしてある無線端末に関連するメッセージの特定の集合に特有ではないことに注意する。ＴＴＬフィールド７０６は、ルーティングの必要性にしたがって設定される。パケットがバイキャストである場合には、フィールド７０４は、“Ｂ”フラッグを示すように設定されることができる。ＣＲＣフィールド７１８は、図６を参照して上に記述されたように計算される。
【００６７】
ＩＰ擬似配線がＩＰ擬似配線セッションを経由して受信されるとき、バージョン・フィールド７０４とＣＲＣフィールド７１８は、上に説明したものと類似の方法で検証される。受信者は、ＴＴＬフィールド７０６を１だけ減少させ、そしてパケットは処理のために適正なインターフェースへ転送される。もしパケットが１つのインターフェースから別の１つに転送されようとしている場合には、ＴＴＬフィールド７０６は、それがゼロより大きいことを確かめるために検査される。もしＴＴＬフィールド７０６がゼロであるならば、パケットは、黙って破棄されることができる。
【００６８】
Ｌ２ＴＰｖ３パケットを使用することによって、ハンドオフのあいだに現在のアクセス・ルータからターゲット・アクセス・ルータへユーザ・データを転送すること；ハンドオフの促進を実現するためにレイヤ２（Ｌ２）制御シグナリングを転送すること、ダウンリンクにおけるマクロ−ダイバーシティを提供するためにユーザ・データをバイキャストすること；そして一般的なアップリンクＬ２−に基づくＩＰを経由するルーティングは、効率的に処理されることが可能である。Ｌ２ＴＰｖ３を使用することの利点は、複数のアクセス・ルータ間のパケット搬送のためにＩＰネットワーキングとルーティングを利用することを含む。Ｌ２ルーティングと搬送とのいずれもが、複数のアクセス・ルータ間で必要とされない。無線端末は、Ｌ２アドレシングとルーティングとを認識する必要があるだけである。追加の制御情報は、Ｌ２ＴＰｖ３ヘッダ中に与えられて、別のユーザ・データ処理そして受信側のアクセス・ルータにおけるスケジューリングを可能にする。それに加えて、エラー検出は、パケットが誤った無線端末に適用されないことを確実にするためにアドレシング情報をカバーする。
【００６９】
図８は、様々な実施形態にしたがってハンドオフを実行するための方法８００のフローチャートを図示する。方法８００は、ハンドオフ・パケットを転送することで８０２において開始する。ターゲット・アクセス・ルータからのＭＩＰバインディング更新信号の受信に基づいて、バッファされたパケット及びホーム・エージェントから到着する引き続くパケットは、Ｌ２ＴＰｖ３パケットへとカプセル化され、そしてターゲット・アクセス・ルータに送られる。Ｌ２ＴＰｖ３ヘッダは、ターゲット・アクセス・ルータにおける適正なスケジューリングと処理のための追加情報及び無線端末識別子を含む。
【００７０】
８０４において、無線端末からのレイヤ２シグナリングの受信でハンドオフ促進のためのレイヤ２制御シグナリングを転送することが、実行される。宛先ＬＬＣｉｄ／Ｃｉｄは、Ｆ−ＯＦＤＭレイヤ２ヘッダにおいて検査される。近隣探査を通して確立されたルーティングに基づいて、このシグナリングは、Ｌ２ＴＰｖ３パケット中へとカプセル化され、そして適正なアクセス・ルータへ転送される。これは、新たなリンクを実際に持ち出す前に、ハンドオフ・シグナリングが制御シグナリングのための古いアップリンクと交差することを認める。
【００７１】
方法８００は、８０６において、マクロ−ダイバーシティのためにユーザ・データをバイキャストすることで続く。悪い信号対ノイズ配分が経験されるとき、ダウンリンクにおいてエラーに強くそしてより良いダイバーシティを提供するために、ある複数のユーザ・データ・パケットは、２つの異なるアクセス・ルータにおいて２つの異なるダウンリンクを下り選択的に配送される又はバイキャストされることができる。これは、Ｌ２ＴＰｖ３パケットのユーザ・データ・パケットを複製しそしてカプセル化することにより、そしてこのパケットを副アクセス・ルータへ送ることにより実現されることができる。
【００７２】
８０８において、一般的アップリンク・レイヤ２に基づくＩＰを経由するルーティングが、実行される。レイヤ２シグナリング又はユーザ・データ・パケットは、Ｌ２ＴＰｖ３へとパケットをカプセル化することによりそして標準ＩＰネットワーキングとルーティングを当てにすることにより、ＩＰルーティングの方法でいずれかの地理的に近いアクセス・ルータへ配送されることが可能である。
【００７３】
上記の方法８００では、無線端末識別子は、受信側のアクセス・ルータが正しい無線端末にパケットを振り向けることを可能にするために存在する。他のレイヤ２及びレイヤ３制御情報は、受信者による使用のためにヘッダ中に含まれることができる。巡回冗長検査（ＣＲＣ：cyclic redundancy check）は、無線端末識別子及びＬ２ＴＰｖ３ヘッダ中のレイヤ２とレイヤ３制御情報を保護するために実行される。
【００７４】
図９は、様々な実施形態にしたがった無線デバイス９００を図示する。無線デバイス９００は、受信機９０２を含み、それはアクセス・ルータ又は他のデバイスから情報を受信する。例えば、受信機９０２は、アクセス・ルータにより送信されたビーコンを検出することができる。送信機９０４は、１又はそれより多くのアクセス・ルータ及び／又はデバイスへの情報を伝達する。そのような送信された通信は、ハンドオフ要請、通信（例えば、音声、テキスト、データ、イメージ）、同様にその他の通信を含むことができる。
【００７５】
プロセッサ９０６は、無線デバイス９００中に同様に含まれることができる。プロセッサは、ハンドオフ要請のためにパケット・ヘッダを形成することができ、そのパケット・ヘッダは、第１のアクセス・ルータのアドレスに対応するソース・アドレス及び宛先アドレスを含む。オプティマイザ９０８は、第１のアクセス・ルータとＣＣＰリンクを開設し、第１のアクセス・ルータと第２のアクセス・ルータとの間で隣接ルータ探索を開始するように構成されることができる。オプティマイザ９０８は、装置に関するハンドオフ状態をさらに指定することが可能である。
【００７６】
図１０は、様々な実施形態にしたがったアクセス・ルータ１０００を図示する。アクセス・ルータ１０００は、送信機１００２、受信機１００４、プロセッサ１００６、及びメモリ１００８を含む。送信機１００２は、ビーコン信号を送信するように構成されることができ、それはＬＬＣ又は他のアクセス・ルータ情報を含む。送信機１００２は、他のアクセス・ルータ又は無線デバイスへの様々な通信を送信するように同様に構成されることができる。受信機１００４は、ハンドオフ要請、新たな隣接ルータ・アラート、隣接ルータ探査要請、又は複数の無線デバイス間の通信を含むその他の情報を受信するように構成されることができる。
【００７７】
プロセッサ１００６は、無線端末から受信されるハンドオフ要請に応じてメモリ中に記憶された情報を検索するように構成されることができる。プロセッサ１００６は、その無線端末とハンドオフ要請中に含まれるアクセス・ルータとの通信を容易にするために少なくとも２つの擬似配線をさらに創設することができる。第１の擬似配線は、ＬＬＣフレームを含み、そして第２の擬似配線は、少なくとも１つのＩＰ通信に対してである。ある実施形態にしたがって、プロセッサ１００６は、アクセス端末から受信される新たな隣接ルータ・アラートに応じて隣接ルータ探査創設を開始する。メモリ１００８は、隣接ルータ探査の間に交換されたアクセス・ルータ情報に関連する情報と同様にアクセス・ルータに与えられた他の情報を維持管理するように構成されることができる。
【００７８】
図１１は、少なくとも２つのアクセス・ルータ間のハンドオフを容易にする装置１１００のブロック図を図示する。装置１１００は、機能ブロックとして表わされ、それはプロセッサ、ソフトウェア、又はそれらの組み合わせ（例えば、ファームウェア）により実行される機能を表す機能ブロックであり得る。
【００７９】
装置１１００に含まれるものは、第１のアクセス・ルータから信号を受信するための論理モジュール１１０２である。第１のアクセス・ルータは、装置１１００の近くのアクセス・ルータであり得るが、装置１１００が通信中のアクセス・ルータではない。第１のアクセス・ルータのアドレスを含む第１のハンドオフ要請を送信するための論理モジュール１１０４は、論理モジュール１１０２が信号を受信するのと実質的に同時にそのような要請を送信することができる。
【００８０】
第１のアクセス・ルータと第２のアクセス・ルータとの間で隣接ルータ探査を開始するための論理モジュール１１０６は、装置１１００の中に含まれる。同様に含まれるものは、少なくとも２つの擬似配線を経由して第１のアクセス・ルータと通信するための論理モジュール１１０８である。そのような配線は、第１のアクセス・ルータと第２のアクセス・ルータとの間の通信パスであり得る。第２のアクセス・ルータは、装置１１００と現在通信しているルータであり得る。ある実施形態にしたがって、論理モジュール１１０８は、無線リンクが開設されたときに第１のアクセス・ルータと直接通信するように構成されることができる。そのような無線リンクが開設されると、装置１１００は、その少なくとも２つの擬似配線を経由する第１のアクセス・ルータとの通信を打ち切ることができる。
【００８１】
ある複数の実施形態にしたがって、装置１１００のハンドオフ状態を特定するためのオプションの論理モジュール１１１０が、提供される。ハンドオフ状態の例は、アクティブ状態、ホールド状態、及びオフ状態を含む。そのようにして、第１のアクセス・ルータへハンドオフをすると、装置１１００は、ハンドオフ状態を特定するために論理モジュール１１１０によって規定されるように機能することができる。
【００８２】
図１２は、移動性管理を容易にする装置１２００のブロック図を図示する。装置１２００は、機能ブロックとして表わされ、それはプロセッサ、ソフトウェア、又はそれらの組み合わせ（例えば、ファームウェア）により実行される機能を表す機能ブロックであり得る。
【００８３】
装置１２００は、情報を送るためにインターネット・プロトコル・カプセル化を行うように構成された論理モジュール１２０２を含む。そのようなカプセル化は、メッセージのヘッダ中に含まれることが可能である。装置１２００に同様に含まれるものは、情報を送るために少なくとも２つの擬似配線を利用するための論理モジュール１２０４である。
【００８４】
ある複数の実施形態にしたがって、装置１２００は、無線デバイスからの新たな隣接ルータ・アラートに応じて隣接するアクセス・ルータと隣接ルータ情報を交換するためのオプションの論理モジュールを含む。無線デバイスは、そのアクセス・ルータが２つのアクセス・ルータからのビーコンを検出することに基づいて隣接ルータであることを推論する。
【００８５】
図１３は、複数のアクセス・ルータ間のハンドオフを容易にする装置１３００を図示する。装置１３００は、機能ブロックとして表わされ、それはプロセッサ、ソフトウェア、又はそれらの組み合わせ（例えば、ファームウェア）により実行される機能を表す機能ブロックであり得る。
【００８６】
装置１３００は、ビーコン信号を送信するための論理モジュール１３０２を含む。このビーコン信号は、その近くの範囲内の無線デバイスにより聴取されることが可能であり、そのようなデバイスは、そのビーコン信号を送信しているアクセス・ルータへハンドオフするかどうかの判断を下すことができる。同様に含まれるものは、そのビーコン信号に応じてハンドオフ要請を受信するための論理モジュール１３０４である。そのようなハンドオフ要請は、近くの範囲内の複数のデバイスから受信されることができる。同様に含まれるものは、新たな隣接ルータ探査を、例えば、隣接するアクセス・ルータと開始するための論理モジュール１３０６である。隣接するアクセス・ルータとルーティング情報を交換するための論理モジュール１３０８は、装置に同様に含まれる。
【００８７】
ある複数の実施形態では、装置１３００は、少なくとも２つの擬似配線を経由して無線端末と通信するための論理モジュール１３１０を含む。そのような通信は、隣接するアクセス・ルータを経由して行われることが可能である。同様に含まれるものは、無線リンクがその無線端末と開設されたときに少なくとも２つの擬似配線を経由する通信を終わらせるための論理モジュール１３１２であり得る。そのように、隣接するアクセス・ルータを経由する通信は、それ以上利用されない。
【００８８】
図１４は、開示された実施形態にしたがって与えられる具体例の通信システム１４００（例えば、セルラ通信ネットワーク）を図示し、それは通信リンクにより相互接続された複数のノードを備える：そのネットワークは、無線リンクを経由して情報を通信するために直交周波数分割多重化（ＯＦＤＭ：orthogonal frequency division multiplexing）信号を使用することができる。しかしながら、別のタイプの信号、例えば、符号分割多元接続（ＣＤＭＡ：code division multiple access）信号又は時分割多元接続（ＴＤＭＡ：time division multiple access）信号が、代わりに使用されるはずである。具体例の通信システム１４００内のノードは、通信プロトコル（例えば、インターネット・プロトコル（ＩＰ：Internet Protocol））に基づいて信号を使用する情報（例えば、メッセージ）を交換する。システム１４００の通信リンクは、例えば、電線、光ファイバ・ケーブル、及び／又は無線通信技術を使用して与えられることができる。具体例の通信システム１４００は、複数のアクセス端末１４４４，１４４６，１４４４’，１４４６’，１４４４”，１４４６”を含み、それは複数のアクセス・ポイント１４４０，１４４０’，１４４０”を経由して通信システムをアクセスする。アクセス端末１４４４，１４４６，１４４４’，１４４６’，１４４４”，１４４６”は、例えば、無線通信デバイス又は端末であり得て、そしてアクセス・ポイント１４４０，１４４０’，１４４０”は、例えば、アクセス・ルータ又は基地局であり得る。具体例の通信システム１４００は、相互接続性を提供するために若しくは特定のサービス又は機能を提供するために使用する複数の別のノード１４０２，１４０４，１４０６，１４０８，１４１０と１４１２を同様に含むことができる。
【００８９】
システム１４００は、ネットワーク１４０１を図示し、それはアクセス制御ノード１４０２、移動性サポート・ノード１４０４、ポリシー制御ノード１４０６、及びアプリケーション・サーバ・ノード１４０８を含み、その全ては、それぞれ対応するネットワーク・リンク１４０３，１４０５，１４０７と１４０９により中間ネットワーク・ノード１４１０に接続される。ある複数の実施形態では、アクセス制御ノード（例えば、遠隔認証ダイアル・イン・ユーザ・サービス（ＲＡＤＩＵＳ）又はダイアメータ・サーバ）は、認証（authentication）、認定（authorization）、及び／又はアクセス端末のアカウンティング及び／又はアクセス端末に関係するサービスをサポートする。ある複数の実施形態では、移動性サポート・ノード（例えば、モービルＩＰホーム・エージェント及び／又はコンテクスト移動サーバ）は、（例えば、アクセス端末への／からのトラフィックの切り換え、及び／又は複数のアクセス・ポイント間でアクセス端末に関係する状態の移動、を介して）複数のアクセス・ポイント間のアクセス端末の移動性（例えば、ハンドオフ）をサポートする。ある複数の実施形態では、ポリシー制御ノード（例えば、ポリシー・サーバ又はポリシー決定ポイント（ＰＤＰ：Policy Decision Point）は、サービス又はアプリケーション・レイヤ・セッションに関するポリシー認定をサポートする。ある複数の実施形態では、アプリケーション・サーバ・ノード（例えば、セッション・イニシエーション・プロトコル・サーバ、ストリーミング媒体サーバ、又は他のアプリケーション・レイヤ・サーバ）は、アクセス端末に利用可能なサービスのためのセッション・シグナリングをサポートする、そして／又はアクセス端末に利用可能なサービス又はコンテントを提供する。
【００９０】
ネットワーク１４０１の中間ネットワーク・ノード１４１０は、ネットワーク・リンク１４１１を経由するネットワーク１４０１の観点から外部であるネットワーク・ノードへの相互接続性を提供する。ネットワーク・リンク１４１１は、別の中間ネットワーク・ノード１４１２に接続され、それは、それぞれネットワーク・リンク１４４１，１４４１’，１４４１”を経由して複数のアクセス・ポイント１４４０，１４４０’，１４４０”へのさらなる接続性を提供する。
【００９１】
各アクセス・ポイント１４４０，１４４０’，１４４０”は、それぞれ対応するアクセス・リンク（１４４５，１４４７）、（１４４５’，１４４７’）、（１４４５”，１４４７”）を経由して、それぞれ複数のＮ個のアクセス端末（１４４４，１４４６）、（１４４４’，１４４６’）、（１４４４”，１４４６”）への接続性を提供するように図示されている。具体例の通信システム１４００において、各アクセス・ポイント１４４０，１４４０’，１４４０”は、アクセスを提供するために無線技術（例えば、無線アクセス・リンク）を使用するように図示される。無線交信可能領域（例えば、各アクセス・ポイント１４４０，１４４０’，１４４０”の通信セル１４４８，１４４８’，１４４８”）は、それぞれ、対応するアクセス・ポイントを囲む円として図示されている。
【００９２】
具体例の通信システム１４００は、様々な実施形態の説明のための基礎として引き続き使用される。代わりの実施形態は、様々なネットワーク・トポロジーを含み、そこではノード（ネットワーク・ノード、アクセス・ポイント、アクセス端末、同様に様々な制御ノード、サポート・ノード、及びサーバ・ノードを含む）の数とタイプ、リンクの数とタイプ、及び様々なノード間の相互接続性は、具体例の通信システム１４００のそれとは異なることがある。
【００９３】
様々な実施形態において、図１４に図示された機能エンティティのあるものは、省略される又は組み合されることができる。ネットワークにおけるこれらの機能エンティティの位置又は配置は、発明によって同様に変化することがある。
【００９４】
図１５は、開示された実施形態にしたがって与えられる具体例のアクセス端末１５００（例えば、無線端末）の詳細な図説を提供する。具体例のアクセス端末１５００は、上記の図において図示されたアクセス端末１４４４，１４４６，１４４４’，１４４６’，１４４４”，１４４６”のいずれかとして使用されることができる装置の詳細な表示である。アクセス端末１５００は、バス１５０６により接続されたプロセッサ１５０４、無線通信インターフェース・モジュール１５３０、ユーザ入力／出力インターフェース１５４０及びメモリ１５１０を含む。したがって、バス１５０６を経由してアクセス端末１５００の様々な構成要素は、情報、信号及びデータを交換することが可能である。アクセス端末１５００の構成要素１５０４，１５０６，１５１０，１５３０，１５４０は、ハウジングの内部に設置される。
【００９５】
無線通信インターフェース・モジュール１５３０は、アクセス端末１５００の内部構成要素が外部デバイス及びネットワーク・ノード（例えば、アクセス・ポイント）へ／から信号をそれにより送りそして受け取ることができる機構を提供する。無線通信インターフェース・モジュール１５３０は、例えば、アクセス端末１５００を（例えば、無線通信チャネルを経由して）別のネットワーク・ノードに接続するために使用される、対応する受信アンテナ１５３６を有する受信機モジュール１５３２、及び対応する送信アンテナ１５３８を有する送信機モジュール１５３４を含む。
【００９６】
具体例のアクセス端末１５００は、ユーザ入力デバイス１５４２（例えば、キーパッド）及びユーザ出力デバイス１５４４（例えば、ディスプレイ）を同様に含み、それらはユーザ入力／出力インターフェース１５４０を経由してバス１５０６に接続される。そのように、ユーザ入力／出力デバイス１５４２，１５４４は、ユーザ入力／出力インターフェース１５４０とバス１５０６を介してアクセス端末１５００の他の構成要素と情報、信号及びデータを交換することができる。ユーザ入力／出力インターフェース１５４０及び関係するデバイス１５４２，１５４４は、ユーザが様々なタスクを達成するためにそれにより動作することが可能な機構を提供する。特に、ユーザ入力デバイス１５４２とユーザ出力デバイス１５４４は、ユーザがアクセス端末１５００及びそのアクセス端末１５００のメモリ１５１０において実行するアプリケーション（例えば、モジュール、プログラム、ルーチン及び／又は機能）を制御することを可能にする機能を提供する。
【００９７】
メモリ１５１０中に含まれる様々なモジュール（例えば、ルーチン）の制御の下でプロセッサ１５０４は、アクセス端末１５００の動作を制御して、様々なシグナリングと処理を実行する。メモリ１５１０中に含まれるモジュールは、スタートアップ時に又は他のモジュールによる呼び出しに応じて実行される。モジュールは、実行されるときにデータ、情報、及び信号を交換することができる。モジュールは、しかも実行されたときにデータ及び情報を共有することができる。アクセス端末１５００のメモリ１５１０は、制御シグナリング・モジュール１５１２、アプリケーション・モジュール１５１４、及びトラフィック制御モジュール１５５０を含み、トラフィック制御モジュール１５５０はさらに設定情報１５５１及び様々な追加モジュール１５５２，１５５３，１５５４，１５５５，１５５６，１５５７，１５５８と１５５９を含む。
【００９８】
アプリケーション・モジュール１５１４は、アクセス端末１５００によってサポートされる１又はそれより多くのアプリケーションに関係する処理及び通信を制御する。ある複数の実施形態では、アプリケーション・モジュール１５１４処理は、ユーザ入力／出力インターフェース１５４０を介した情報の入力／出力、アプリケーションに関係する情報の操作、及び／又はアプリケーションに関係する信号（例えば、メッセージ）を受け取ること又は送ること、に関連する複数のタスクを含む。ある複数の実施形態では、−アプリケーション・モジュール１５１４は、そのアプリケーション・モジュール１５１４によってサポートされる１又はそれより多くのアプリケーションの動作に関連する状態情報（例えば、パラメータ、ステータス及び／又はその他の情報）を含む。特に、アプリケーション・モジュール１５１４は、設定情報（例えば、ユーザ識別情報）及び／又はパラメータ設定、及び動作情報（例えば、現在の処理状態、保留中の応答のステータス、等に関する情報）を含むことができる。アプリケーション・モジュール１５１４によってサポートされるアプリケーションは、例えば、ＩＰを介した音声（ＶｏＩＰ）、ウェブ・ブラウジング、オーディオ／ビデオのストリーミング、即時メッセージ通信、ファイル共用、ゲーム、等を含む。
【００９９】
制御シグナリング・モジュール１５１２は、例えば、トラフィック制御モジュール１５５０、同様に設定情報１５５１及びその中に含まれる様々な追加モジュール１５５２，１５５３，１５５４，１５５５，１５５６，１５５７，１５５８と１５５９を含む、アクセス端末１５００の様々な態様の動作及び／又は設定を制御するための信号（例えば、メッセージ）を受け取ること及び送ることに関連する処理を制御する。ある複数の実施形態では、制御シグナリング・モジュール１５１２は、アクセス端末１５００の動作に関連する状態情報（例えば、パラメータ、ステータス及び／又はその他の情報）、及び／又は制御シグナリング・モジュール１５１２によってサポートされる１又はそれより多くのシグナリング・プロトコルを含む。特に、制御シグナリング・モジュール１５１２は、設定情報（例えば、アクセス端末識別情報及び／又はパラメータ設定）及び動作情報（例えば、現在の処理状態、保留中のメッセージ・トランザクションのステータス、等に関する情報）を含むことができる。
【０１００】
トラフィック制御モジュール１５５０は、無線通信インターフェース・モジュール１５３０を経由してデータ情報（例えば、メッセージ、パケット、及び／又はフレーム）を受け取ること及び送ることに関連する処理を制御する。具体例のトラフィック制御モジュールは、設定情報１５５１、同様に様々な追加モジュール１５５２，１５５３，１５５４，１５５５，１５５６，１５５７，１５５８と１５５９を含み、追加モジュールはパケットに対するサービスの品質及び／又は、例えば、パケットのシーケンスに関係するトラフィック・フローの様々な態様を制御する。ある複数の実施形態では、トラフィック制御モジュール１５５０は、アクセス端末１５００、トラフィック制御モジュール１５５０、及び／又は１又はそれより多くのその中に含まれる様々な追加モジュール１５５２，１５５３，１５５４，１５５５，１５５６，１５５７，１５５８と１５５９の動作に関連する状態情報（例えば、パラメータ、ステータス及び／又はその他の情報）を含む。設定情報１５５１、例えば、パラメータ設定、は、トラフィック制御モジュール１５５０及び／又はその中に含まれる様々な追加モジュール１５５２，１５５３，１５５４，１５５５，１５５６，１５５７，１５５８と１５５９の動作を決定し、影響を及ぼし、そして／又は規定する。様々な追加モジュールは、ある複数の実施形態では、トラフィック制御の特定の態様をサポートするために必要とされるような特定の機能及び動作を実行するために含まれる。様々な実施形態において、複数のモジュールは、トラフィック制御の機能的な必要条件に応じて必要とされるように省略される及び／又は組み合わせられることができる。具体例のトラフィック制御モジュール１５５０に含まれる各追加モジュールの簡単な説明は、下記の通りである。
【０１０１】
承認制御モジュール１５５２は、リソースの利用／利用可能性に関連する情報を維持管理し、そして十分なリソースが特定のトラフィック・フローのサービスの品質要求をサポートするために利用可能であるかどうかを判断する。アップリンク・スケジューラ・モジュール１５５３は、送信スケジューリング（例えば、順番及び／又はタイミング）と送信リソース（例えば、情報コーディング・レート）送信時間スロットの割り当てに関連する処理、及び／又は（例えば、アクセス端末１５００からアクセス・ポイントへ）無線インターフェース・モジュール１５３０を経由して送られようとしているデータ情報（例えば、メッセージ、パケット、及び／又はフレーム）に対する送信出力、を制御する。
【０１０２】
アップリンクＰＨＹ／ＭＡＣモジュール１５５４は、（例えば、アクセス端末１５０２からアクセス・ポイントへ）無線通信インターフェース・モジュール１５３０を経由してデータ情報（例えば、メッセージ、パケット、及び／又はフレーム）を送ることに関連する物理（ＰＨＹ）レイヤとメディア・アクセス制御（ＭＡＣ）レイヤ処理を制御する。アップリンクＬＬＣ（ＡＲＱ）モジュール１５５５は、（例えば、アクセス端末１５００からアクセス・ポイントへ）無線通信インターフェース・モジュール１５３０を経由してデータ情報（例えば、メッセージ、パケット、及び／又はフレーム）を送ることに関連する論理リンク制御（ＬＬＣ）レイヤ処理を制御する。
【０１０３】
アップリンク待ち行列管理モジュール１５５６は、（例えば、アクセス端末１５００からアクセス・ポイントへ）無線通信インターフェース・モジュール１５３０を経由して送られようとしているデータ情報（例えば、メッセージ、パケット、及び／又はフレーム）の記憶に関連する情報を維持管理し、そして処理を制御する。アップリンク分類モジュール１５５７は、（例えば、アクセス端末１５００からアクセス・ポイントへ）無線通信インターフェース・モジュール１５３０を経由して送られる前に特定のトラフィック・フローに属しているとして、データ情報、例えば、メッセージ、パケット、及び／又はフレーム、の識別に関連する処理を制御する。
【０１０４】
ダウンリンクＰＨＹ／ＭＡＣモジュール１５５８は、（例えば、アクセス・ポイントからアクセス端末１５００へ）無線通信インターフェース・モジュール１５３０を経由してデータ情報（例えば、パケット及び／又はフレーム）を受け取ることに関連するＰＨＹレイヤとＭＡＣレイヤ処理を制御する。ダウンリンクＬＬＣ（ＡＲＱ）モジュール１５５９は、（例えば、アクセス・ポイントからアクセス端末１５００へ）無線通信インターフェース・モジュール１５３０を経由してデータ情報（例えば、パケット及び／又はフレーム）を受け取ることに関連するＬＬＣレイヤ処理を制御する。
【０１０５】
図１６は、様々な実施形態にしたがって与えられる具体例のアクセス・ポイント１６００の詳細な図説を提供する。具体例のアクセス・ポイント１６００は、上記の図において図示されたアクセス・ポイント１４４０，１４４０’，１４４０”のうちのいずれか１つとして使用されることができる装置の詳細な表示である。アクセス・ポイント１６００は、バス１６０６により接続されたプロセッサ１６０４、メモリ１６１０、ネットワーク／ネットワーク間インターフェース・モジュール１６２０、及び無線通信インターフェース・モジュール１６３０、を含む。したがって、バス１６０６を経由してアクセス・ポイント１６００の様々な構成要素は、情報、信号及びデータを交換することが可能である。アクセス・ポイント１６００の構成要素１６０４，１６０６，１６１０，１６２０，１６３０は、ハウジング１６０２の内部に設置される。
【０１０６】
ネットワーク／ネットワーク間インターフェース・モジュール１６２０は、アクセス・ポイント１６００の内部構成要素が外部デバイス及びネットワーク・ノードへ／から信号をそれにより送ること又は受け取ることができる機構を提供する。ネットワーク／ネットワーク間インターフェース・モジュール１６２０は、ノード１６００を別のネットワーク・ノードに（例えば、銅配線又は光ファイバ・リンクにより）接続するために使用される、受信機モジュール１６２２及び送信機モジュール１６２４を含む。無線通信インターフェース・モジュール１６３０は、アクセス・ポイント１６００の内部構成要素が外部デバイス及びネットワーク・ノード（例えば、アクセス端末）へ／から信号をそれにより送ること又は受け取ることができる機構を同様に提供する。無線通信インターフェース・モジュール１６３０は、例えば、対応する受信アンテナ１６３６を有する受信機モジュール１６３２、及び対応する送信アンテナ１６３８を有する送信機モジュール１６３４を含む。無線通信インターフェース・モジュール１６３０は、（例えば、無線通信チャネルを経由して）アクセス・ポイント１６００を別のネットワーク・ノードに接続するために使用される。
【０１０７】
メモリ１６１０中に含まれる様々なモジュール（例えば、ルーチン）の制御の下でプロセッサ１６０４は、様々なシグナリングと処理を実行するためにアクセス・ポイント１６００の動作を制御する。メモリ１６１０中に含まれるモジュールは、スタートアップ時に又は他のモジュールによる呼び出しに応じて実行される。モジュールは、実行されるときにデータ、情報、及び信号を交換することができる。モジュールは、しかも実行されたときにデータ及び情報を共有することができる。アクセス・ポイント１６００のメモリ１６１０は、制御シグナリング・モジュール１６１２及びトラフィック制御モジュール１６５０を含み、それはさらに設定情報１６５１及び様々な追加モジュール１６５２，１６５３，１６５４，１６５５，１６５６，１６５７，１６５８，１６５９，１６６０，１６６１，１１６２と１１６３を含む。
【０１０８】
制御シグナリング・モジュール１６１２は、例えば、トラフィック制御モジュール１６５０、同様に設定情報１６５１及びその中に含まれる様々な追加モジュール１６５２，１６５３，１６５４，１６５５，１６５６，１６５７，１６５８，１６５９，１６６０，１６６１，１６６２と１６６３を含む、アクセス・ポイント１６００の様々な態様の動作及び／又は設定を制御するための信号（例えば、メッセージ）を受け取ること及び送ることに関連する処理を制御する。ある複数の実施形態では、制御シグナリング・モジュール１６１２は、アクセス・ポイント１６００の動作に関連する状態情報（例えば、パラメータ、ステータス及び／又はその他の情報）、及び／又は制御シグナリング・モジュール１６１２によってサポートされる１又はそれより多くのシグナリング・プロトコルを含む。特に、制御シグナリング・モジュール１６１２は、設定情報（例えば、アクセス・ポイント識別情報）及び／又はパラメータ設定、及び動作情報（例えば、現在の処理状態に関する情報）、保留中のメッセージ・トランザクションのステータス、等を含むことができる。
【０１０９】
トラフィック制御モジュール１６５０は、無線通信インターフェース・モジュール１６３０を経由してデータ情報（例えば、メッセージ、パケット、及び／又はフレーム）を受け取ること及び送ることに関連する処理を制御する。具体例のトラフィック制御モジュールは、設定情報１６５１、同様に様々な追加モジュール１６５２，１６５３，１６５４，１６５５，１６５６，１６５７，１６５８，１６５９，１６６０，１６６１，１６６２と１６６３を含み、追加モジュールはパケットに対するサービスの品質及び／又はトラフィック・フロー（例えば、パケットに関連するシーケンス）の様々な態様を制御する。ある複数の実施形態では、トラフィック制御モジュール１６５０は、アクセス・ポイント１６００、トラフィック制御モジュール１６５０、及び／若しくは１又はそれより多くのその中に含まれる様々な追加モジュール１６５２，１６５３，１６５４，１６５５，１６５６，１６５７，１６５８，１６５９，１６６０，１６６１，１６６２と１６６３の動作に関連する状態情報（例えば、パラメータ、ステータス及び／又はその他の情報）を含む。設定情報１６５１（例えば、パラメータ設定）は、トラフィック制御モジュール１６５０及び／又はその中に含まれる様々な追加モジュール１６５２，１６５３，１６５４，１６５５，１６５６，１６５７，１６５８，１６５９，１６６０，１６６１，１６６２と１６６３の動作を決定し、影響を及ぼし、そして／又は規定する。様々な追加モジュールは、ある複数の実施形態では、トラフィック制御の特定の態様をサポートするために必要とされるような特定の機能及び動作を実行するために含まれる。本発明の様々な実施形態において、複数のモジュールは、トラフィック制御の機能的な必要条件に応じて必要とされるように省略される及び／又は組み合わせられることができる。具体例のトラフィック制御モジュール１６５０に含まれる各追加モジュールの簡単な説明は、下記の通りである。
【０１１０】
承認制御モジュール１６５２は、リソースの利用／利用可能性に関連する情報を維持管理し、そして十分なリソースが特定のトラフィック・フローのサービス要求の品質をサポートするために利用可能であるかどうかを判断する。承認制御モジュール１６５２は、リソースの利用／利用可能性に関連する情報を維持管理し、そして十分なリソースが特定のトラフィック・フローのサービス要求の品質をサポートするために利用可能であるかどうかを判断する。承認制御モジュール１６５２により維持管理されるリソース利用可能性情報は、例えば、パケット及び／又はフレーム待ち行列能力、スケジューリング能力を、同様に１又はそれより多くのトラフィック・フローをサポートするために必要とされる処理能力とメモリ容量を含む。
【０１１１】
アップリンク・スケジューラ・モジュール１６５３は、送信スケジューリング（例えば、順番及び／又はタイミング）に関連する処理、そして１又はそれより多くのアクセス端末からアクセス・ポイントへ無線インターフェース・モジュール１６３０を経由して送られようとしているデータ情報（例えば、メッセージ、パケット、及び／又はフレーム）に対する送信リソース（例えば、情報コーディング・レート、送信時間スロット、及び／又は送信出力）の割り当て、を制御する。
【０１１２】
ダウンリンク・スケジューラ・モジュール１６５４は、送信スケジューリング（例えば、順番及び／又はタイミング）に関連する処理、そしてアクセス・ポイント１６００から１又はそれより多くのアクセス端末へ無線インターフェース・モジュール１６３０を経由して送られようとしているデータ情報（例えば、メッセージ、パケット、及び／又はフレーム）に対する送信リソース（例えば、情報コーディング・レート、送信時間スロット、及び／又は送信出力）の割り当て、を制御する。アップリンク・トラフィック・コンディショナ・モジュール１６５５は、データ情報（例えば、メッセージ）に対するトラフィック調整（例えば、メータリング、マーキング、ポリシイング、等）に関連する処理を制御する。
【０１１３】
アップリンク分類モジュール１６５６は、アップリンク・トラフィック・コンディショナ・モジュール１６５５により処理される前に特定のトラフィック・フローに属しているとして、例えば、アクセス端末からアクセス・ポイント１６００へ、無線インターフェース・モジュール１６３０を経由して受け取られるデータ情報（例えば、メッセージ、パケット、及び／又はフレーム）の識別に関連する処理を制御する。
【０１１４】
アップリンクＬＬＣ（ＡＲＱ）モジュール１６５７は、例えば、アクセス端末からアクセス・ポイント１６００へ、無線通信インターフェース・モジュール１６３０を経由してデータ情報（例えば、パケット及び／又はフレーム）を受け取ることに関連するＬＬＣレイヤ処理を制御する。アップリンクＰＨＹ／ＭＡＣモジュール１６５８は、（例えば、アクセス端末からアクセス・ポイント１６００へ）無線通信インターフェース・モジュール１６３０を経由してデータ情報（例えば、パケット及び／又はフレーム）を受け取ることに関連するＰＨＹレイヤとＭＡＣレイヤ処理を制御する。
【０１１５】
ダウンリンク分類モジュール１６５９は、例えば、アクセス・ポイント１６００からアクセス端末へ、無線通信インターフェース・モジュール１６３０を経由して送られる前に特定のトラフィック・フローに属しているとして、データ情報（例えば、メッセージ、パケット、及び／又はフレーム）の識別に関連する処理を制御する。ダウンリンク・トラフィック・コンディショナ・モジュール１６６０は、（例えば、アクセス・ポイント１６０２からアクセス・ポイントへ）無線インターフェース・モジュール１６３０を経由して送られようとしているデータ情報（例えば、メッセージ、パケット、及び／又はフレーム）に対するトラフィック調整（例えば、メータリング、マーキング、ポリシイング、等）に関連する処理を制御する。
【０１１６】
ダウンリンク待ち行列管理モジュール１６６１は、（例えば、アクセス・ポイント１６００からアクセス端末へ）無線通信インターフェース・モジュール１６３０を経由して送られようとしているデータ情報（例えば、メッセージ、パケット、及び／又はフレーム）の記憶に関連する情報を維持管理し、そして処理を制御する。
【０１１７】
ダウンリンクＬＬＣ（ＡＲＱ）モジュール１６６２は、（例えば、アクセス・ポイント１６０２からアクセス端末へ）無線通信インターフェース・モジュール１６３０を経由してデータ情報（例えば、メッセージ、パケット及び／又はフレーム）を送ることに関連するＬＬＣレイヤ処理を制御する。
【０１１８】
ダウンリンクＰＨＹ／ＭＡＣモジュール１６６３は、（例えば、アクセス・ポイント１６００からアクセス端末へ）無線通信インターフェース・モジュール１６３０を経由して、データ情報（例えば、メッセージ、パケット及び／又はフレーム）を送ることに関連するＰＨＹレイヤとＭＡＣレイヤ処理を制御する。
【０１１９】
本明細書中に記述された複数の実施形態は、ハードウェア、ソフトウェア、ファームウェア、ミドルウェア、マイクロコード、又はこれらの任意の組み合わせにより実行されることができることが理解されるはずである。本システム及び／又は方法が、ソフトウェア、ファームウェア、ミドルウェア、又はマイクロコードにおいて実行されるとき、それらは、記憶コンポーネントのような、機械読み取り可能な媒体中に記憶されることができる。コード・セグメントは、手順、機能、サブプログラム、プログラム、ルーチン、サブルーチン、モジュール、ソフトウェア・パッケージ、クラス、又は命令、データ構造、又はプログラム・ステートメントの任意の組み合わせ、を表すことができる。コード・セグメントは、情報、データ、主張（argument）、パラメータ、又はメモリ・コンテントを渡すこと及び／又は受け取ることにより別のコード・セグメント又はハードウェア回路に接続されることができる。情報、主張、パラメータ、データ、等は、他のものの中でメモリ分割方式、メッセージ通過方式（passing）、トークン通過方式、ネットワー伝送、等を含む適当な手段を使用して渡されるか、転送されるか、又は伝送されることができる。
【０１２０】
ソフトウェア・インプリメンテーションに関して、本明細書で説明された技術は、本明細書中に説明された機能を実行するモジュール（例えば、手順、機能、及びその他）を用いて実行されることができる。ソフトウェア・コードは、メモリ・ユニット中に記憶されることができ、そしてプロセッサによって実行されることができる。メモリ・ユニットは、プロセッサの内部に、又はプロセッサの外部に与えられることができる。外部の場合には、この分野において公知の種々の手段を介してプロセッサに通信的に接続されることが可能である。
【０１２１】
上に説明されてきたものは、１又はそれより多くの実施形態の複数の例を含む。当然のことながら、上記の実施形態を説明する目的のために全ての考え得るコンポーネント又は方法の組み合わせを記述することは不可能であるが、様々な実施形態の複数のさらなる組み合わせ及び置き換えが可能であることを、当業者は認識することができる。したがって、記載された実施形態は、添付された特許請求の範囲の精神及びスコープの範囲内になる全てのそのような代替物、変更及び変形を包含するように意図されている。その上、用語 “含む（include）”が詳細な説明又は特許請求の範囲において使用される限りは、“具備する（comprising）”が特許請求の範囲においてつなぎの用語として利用されるときに解釈されるように、そのような用語は、用語“具備する”と同様にある意味では包括的であるように意図されている。
以下に、本願出願の当初の特許請求の範囲に記載された発明を付記する。
［Ｃ１］
移動性管理のための方法であって、
ターゲット・アクセス・ルータへのハンドオフ要請に応答して隣接ルータ認識失敗を受信すること；
前記ターゲット・アクセス・ルータとＣＣＰリンクを開設すること；及び
現在のアクセス・ルータと前記ターゲット・アクセス・ルータとの間で新たな隣接ルータ・アラート（alert）を開始すること、
を具備する方法。
［Ｃ２］
前記現在のアクセス・ルータを経由して前記ターゲット・アクセス・ルータと通信すること；
前記ターゲット・アクセス・ルータへの直接リンクを検出すること；及び
前記現在のアクセス・ルータへのリンクを切断すること、
をさらに具備する、［Ｃ１］の方法。
［Ｃ３］
ＣＣＰリンクを開設することは、
目的の基地局からＣＣＰ申込み（challenge）を受信すること；及び
前記ＣＣＰ申込みに応答すること、
をさらに具備する、［Ｃ１］の方法。
［Ｃ４］
隣接ルータ認識失敗を受信することの前に、
ターゲット・アクセス・ルータから信号を受信すること；
現在のアクセス・ルータから前記ターゲット・アクセス・ルータへのハンドオフを要請すること；及び
前記現在のアクセス・ルータから失敗を受信すること、
をさらに具備する、［Ｃ１］の方法。
［Ｃ５］
前記ターゲット・アクセス・ルータへハンドオフ・メッセージを送ることは、アクティブ状態、ホールド状態、及びオフ状態のうちの１つとして前記ハンドオフを要請することを具備する、［Ｃ１］の方法。
［Ｃ６］
ターゲット・アクセス・ルータとＣＣＰリンクを開設することは、ソース・アドレス及び宛先アドレスを前記ターゲット・アクセス・ルータのアドレスに設定することをさらに具備する、［Ｃ１］の方法。
［Ｃ７］
ターゲット・アクセス・ルータとＣＣＰリンクを開設することは、レイヤ２ルーティング情報の機能である、［Ｃ１］の方法。
［Ｃ８］
ターゲット・アクセス・ルータとＣＣＰリンクを開設することは、迅速なハンドオフ、ハンドオフ切断の前に接続、ハンドオフ接続の前に切断のうちの１つである、［Ｃ１］の方法。
［Ｃ９］
移動性管理を容易にする装置であって、
ハンドオフ要請のためのパケット・ヘッダを形成するプロセッサ、ここで、前記パケット・ヘッダは第１のアクセス・ルータのアドレスに対応する宛先アドレス及びソース・アドレスを含む；並びに
第２のアクセス・ルータから受信する隣接ルータ認識失敗に応じて前記第１のアクセス・ルータへ前記形成されたパケット・ヘッダを送信する送信機、
を具備する装置。
［Ｃ１０］
前記第１のアクセス・ルータから送信されたビーコン信号を受信する受信機；及び
前記第１のアクセス・ルータとＣＣＰリンクを開設して前記第１のアクセス・ルータと前記第２のアクセス・ルータとの間で隣接ルータ探査（discovery）を開始するオプティマイザ、
をさらに具備する、［Ｃ９］の装置。
［Ｃ１１］
前記送信機は、少なくとも２つの擬似配線を通り前記第２のアクセス・ルータを経由して前記第１のアクセス・ルータとさらに通信する、［Ｃ９］の装置。
［Ｃ１２］
前記装置に関するハンドオフ状態を特定するオプティマイザをさらに具備する、［Ｃ９］の装置。
［Ｃ１３］
２つのアクセス・ルータ間のハンドオフを容易にするための装置であって、
第１のアクセス・ルータから信号を受信するための手段；
前記第１のアクセス・ルータのアドレスを含んでいる第１のハンドオフ要請を送信するための手段；
前記第１のアクセス・ルータと第２のアクセス・ルータとの間で隣接ルータ探査を開始するための手段；及び
少なくとも２つの擬似配線を経由して前記第１のアクセス・ルータと通信するための手段、
を具備する装置。
［Ｃ１４］
前記装置は、ハンドオフ状態を特定するための手段をさらに具備する、［Ｃ１３］の装置。
［Ｃ１５］
前記通信するための手段は、無線リンクが開設されたときに、前記第１のアクセス・ルータとさらに直接通信する、［Ｃ１３］の装置。
［Ｃ１６］
移動性管理のためのコンピュータ実行可能な命令をその上に記憶しているコンピュータ読取り可能な媒体であって、
ターゲット・アクセス・ルータから送信される目標アクセス・ビーコンを認識するための第１の命令セット；
前記ターゲット・アクセス・ルータへの第１のハンドオフを要請するための第２の命令セット；
前記第１のハンドオフ要請に対する失敗の受信で第２のハンドオフ要請を送るための第３の命令セット；及び
前記ターゲット・アクセス・ルータと現在のアクセス・ルータとの間で隣接ルータ探査を開始するための第４の命令セット、
を具備する、コンピュータ読取り可能な媒体。
［Ｃ１７］
宛先アドレス及びソース・アドレスとして前記ターゲット・アクセス・ルータのアドレスを含むヘッダ・パケットを前記第２のハンドオフ要請の中に含ませるための第５の命令セット、
をさらに具備する、［Ｃ１６］のコンピュータ読取り可能な媒体。
［Ｃ１８］
無線端末のハンドオフ状態を第２のハンドオフ・メッセージに追加するための第６の命令セット、をさらに具備し、ここで、前記ハンドオフ状態は、アクティブ状態、ホールド状態、及びオフ状態のうちの１つである、
［Ｃ１６］のコンピュータ読取り可能な媒体。
［Ｃ１９］
移動性管理のためのコンピュータ実行可能な命令を実行するプロセッサであって、前記命令は、
隣接ルータ認識失敗にハンドオフ要請で応答すること；
第１のアクセス・ルータと第２のアクセス・ルータとの間で隣接ルータ探査を、前記ハンドオフ要請によって部分的に開始すること、
を具備する命令である、プロセッサ。
［Ｃ２０］
前記命令は、直接無線リンク通信が前記第２のアクセス・ルータに利用可能であるとき、前記第１のアクセス・ルータとのリンクを切断することを具備する、［Ｃ１９］のプロセッサ。
［Ｃ２１］
移動性管理のための方法であって、
新たな隣接ルータ探査創始（create）メッセージを受信すること；
前記新たな隣接ルータ創始メッセージへの回答で受領通知を送ること；及び
新たな隣接ルータ・アラート要請に応じてターゲット・アクセス・ルータと第１のＬ２ＴＰ接続及び第２のＬ２ＴＰ接続を設定すること、
を具備する方法。
［Ｃ２２］
新たな隣接ルータ探査創始メッセージを受信することの前に、新たな隣接ルータ・アラートを受信することをさらに具備する、［Ｃ２１］の方法。
［Ｃ２３］
新たな隣接ルータ創始メッセージ（a new neighbor create message）を受信することの前に、
無線端末からハンドオフのための要請を第１の基地局において受信すること；
前記ハンドオフ要請に応答して失敗メッセージを送ること、
をさらに具備する、［Ｃ２１］の方法。
［Ｃ２４］
新たな隣接ルータ探査創始メッセージ（a new neighbor discovery create message）を受信することは、目的の基地局のルーティングを現在の基地局へとロードすることを具備する、［Ｃ２１］の方法。
［Ｃ２５］
受領通知を送ることは、現在の基地局のレイヤ２ルーティング情報で応答することを具備する、［Ｃ２１］の方法。
［Ｃ２６］
前記第１のＬ２ＴＰ接続は、少なくとも１つのＬＬＣフレームのためであり、そして前記第２のＬ２ＴＰ接続は、少なくとも１つのＩＰ通信のためである、［Ｃ２１］の方法。
［Ｃ２７］
無線端末のハンドオフを容易にする装置であって、
隣接するアクセス・ルータに関連する情報を記憶するメモリ；
無線端末からハンドオフ要請を受信する受信機；及び
前記記憶された情報を検索し、そして前記ハンドオフ要請に応答するプロセッサ、
を具備する装置。
［Ｃ２８］
前記ハンドオフ要請がメモリ中に記憶されていないアクセス・ルータを含む場合に、隣接ルータ認識失敗を送信する送信機をさらに具備する、［Ｃ２７］の装置。
［Ｃ２９］
前記プロセッサは、前記無線端末と前記ハンドオフ要請に含まれるアクセス・ルータとの間の通信を容易にするために少なくとも２つの擬似配線をさらに創出する、［Ｃ２７］の装置。
［Ｃ３０］
第１の擬似配線は、ＬＬＣフレームを含み、そして第２の擬似配線は、少なくとも１つのＩＰ通信のためである、［Ｃ２９］の装置。
［Ｃ３１］
移動性管理を容易にする装置であって、
インターネット・プロトコルのカプセル化されたものを作り出し、情報を送るための手段；及び
前記情報を送るために少なくとも２つの擬似配線を利用するための手段、
を具備する装置。
［Ｃ３２］
無線デバイスから受信される新たな隣接ルータ・アラートに応じて隣接するアクセス・ルータと隣接ルータ情報を交換するための手段、
をさらに具備する、［Ｃ３１］の装置。
［Ｃ３３］
移動性管理のためにコンピュータ実行可能な命令をその上に記憶しているコンピュータ読取り可能な媒体であって、
無線端末から新たな隣接ルータ探査創始メッセージを受信するための第１の命令セット；
前記新たな隣接ルータ創始メッセージへの回答で受領通知を送るための第２の命令セット；
前記新たな隣接ルータ創始メッセージに応答して隣接するアクセス・ルータと情報を交換するための第３の命令セット；及び
ターゲット・アクセス・ルータと第１のＬ２ＴＰ接続及び第２のＬ２ＴＰ接続を設定するための第４の命令セット、
を具備する、コンピュータ読取り可能な媒体。
［Ｃ３４］
無線リンクが前記無線端末と前記ターゲット・アクセス・ルータとの間で開設されるまで、前記無線端末が前記ターゲット・アクセス・ルータと通信することを可能にするための第５の命令セット、
をさらに具備する、［Ｃ３３］のコンピュータ読取り可能な媒体。
［Ｃ３５］
複数のアクセス・ルータ間のハンドオフのためのコンピュータ実行可能な命令を実行するプロセッサであって、前記命令は、
インターネット・プロトコルをカプセル化したものにより第１のアクセス・ルータへ情報を送ること；及び
前記情報を送るために少なくとも２つの擬似配線を利用すること、
を具備する命令である、プロセッサ。
［Ｃ３６］
前記命令は、前記第１のアクセス・ルータからの新たな隣接ルータ・アラートに応答することをさらに具備し、ここで、前記応答は、ルーティング情報を含む、［Ｃ３５］のプロセッサ。
［Ｃ３７］
移動性管理のための方法であって、
無線端末から新たな隣接ルータ・アラートを受信すること；
前記新たな隣接ルータ・アラートにおいて識別されたアクセス・ルータから隣接ルータ探査創始を要請すること；
前記アクセス・ルータから前記要請された隣接ルータ探査創始の受領通知を受信すること；及び
前記アクセス・ルータによって開設された第１のリンクと第２のリンクとを経由して前記無線端末と通信すること、
を具備する方法。
［Ｃ３８］
新たな隣接ルータ・アラートを受信する前に、ＬＬＣアドレスを含んでいるビーコン信号を送信することを具備する、［Ｃ３７］の方法。
［Ｃ３９］
前記第１のリンクは、少なくとも１つのＬＬＣフレームのための第１のＬ２ＴＰ接続であり、そして前記第２のリンクは、少なくとも１つのＩＰ通信のための第２のＬ２ＴＰ接続である、［Ｃ３７］の方法。
［Ｃ４０］
前記無線端末と通信することは、レイヤ２ルーティング情報である、［Ｃ３７］の方法。
［Ｃ４１］
隣接ルータ探査創始を要請することは、前記アクセス・ルータにルーティング情報を送ることを具備する、［Ｃ３７］の方法。
［Ｃ４２］
移動性管理を容易にする装置であって、
アクセス端末から受信される新たな隣接ルータ・アラートに応じて隣接ルータ探査創始を開始するように構成されたプロセッサ；
前記隣接ルータ探査創始への応答に関連する情報を記憶するように構成されたメモリ、を具備する装置。
［Ｃ４３］
ＬＬＣアドレスを含んでいるビーコン信号を送信するように構成された送信機をさらに具備する、［Ｃ４２］の装置。
［Ｃ４４］
少なくとも２つの擬似配線を経由して前記アクセス端末へ情報を伝達するように構成された送信機；及び
前記少なくとも２つの擬似配線を経由して前記アクセス端末から情報を受信するように構成された受信機、
をさらに具備する、［Ｃ４２］の装置。
［Ｃ４５］
複数のアクセス・ルータ間のハンドオフを容易にする装置であって、
ビーコン信号を送信するための手段；
前記ビーコン信号に応じてハンドオフ要請を受信するための手段；
新たな隣接ルータ探査を開始するための手段；及び
隣接するアクセス・ルータとルーティング情報を交換するための手段、
を具備する装置。
［Ｃ４６］
少なくとも２つの擬似配線を経由して無線端末と通信するための手段；及び
無線リンクが前記無線端末と開設されたときに、前記少なくとも２つの擬似配線を経由する前記通信を切断するための手段、
をさらに具備する、［Ｃ４５］の装置。
［Ｃ４７］
移動性管理のためのコンピュータ実行可能な命令をその上に記憶しているコンピュータ読取り可能な媒体であって、
新たな隣接ルータ・アラートを無線端末から受信するための第１の命令セット；
前記新たな隣接ルータ・アラートにおいて識別されたアクセス・ルータから隣接ルータ探査創始を要請するための第２の命令セット；
前記要請された隣接ルータ探査創始の受領通知を前記アクセス・ルータから受信するための第３の命令セット；及び
前記アクセス・ルータによって開設された第１のリンクと第２リンクとを経由して前記無線端末と通信するための第４の命令セット、
を具備する、コンピュータ読取り可能な媒体。
［Ｃ４８］
前記無線端末と直接無線リンク通信を開設するための第５の命令セット；及び
前記直接無線リンクが開設されたときに、前記第１のリンクと前記第２のリンクを切断するための第６の命令セット
をさらに具備する、［Ｃ４７］のコンピュータ読取り可能な媒体。
［Ｃ４９］
移動性管理のためのコンピュータ実行可能な命令を実行するプロセッサであって、前記命令は、
ビーコン信号を送信すること；
前記ビーコン信号への応答でハンドオフ要請を受信すること；
新たな隣接ルータ探査を開始すること；及び
隣接するアクセス・ルータとルーティング情報を交換すること、
を具備する命令である、プロセッサ。
［Ｃ５０］
前記命令は、
少なくとも２つの擬似配線を経由してアクセス端末と通信すること；及び
無線リンクが前記無線端末と開設されたときに、前記少なくとも２つの擬似配線を経由する前記通信を切断すること、
をさらに具備する命令である、［Ｃ４９］のプロセッサ。
【図１】
0005642765.tif 000002
【図２】
0005642765.tif 000003
【図３】
0005642765.tif 000004
【図４】
0005642765.tif 000005
【図５】
0005642765.tif 000006
【図６】
0005642765.tif 000007
【図７】
0005642765.tif 000008
【図８】
0005642765.tif 000009
【図９】
0005642765.tif 000010
【図１０】
0005642765.tif 000011
【図１１】
0005642765.tif 000012
【図１２】
0005642765.tif 000013
【図１３】
0005642765.tif 000014
【図１４】
0005642765.tif 000015
【図１５】
0005642765.tif 000016
【図１６】
0005642765.tif 000017